(57)【要約】【課題】少ない遅延時間で画像データを表示することができ、且つ、特徴量に基づく階調補正処理の適用の遅れによってシーンの切り替わりの際に発生する画面のちらつきを低減することができる技術を提供する。【解決手段】本発明の表示装置は、発光手段と、発光手段からの光を変調することによって画像を表示する表示手段と、画像データの特徴量を取得する取得手段と、特徴量に基づいて画像データに階調補正処理を施す画像処理手段と、を有し、画像処理手段は、処理対象のフレームに対し、ｎフレーム前のフレームの特徴量に基づく階調補正処理を施す表示装置であって、シーンの切り替わりを検出する検出手段と、検出手段でシーンの切り替わりが検出された場合に、シーンの切り替わり前のフレームの特徴量と、シーンの切り替わり後のフレームの特徴量とに基づいて、発光手段の発光輝度を制御する制御手段と、を有する。【選択図】図１
2015088998.tif 000002
【特許請求の範囲】
【請求項１】
発光手段と、
画像データに基づいて前記発光手段からの光を変調することによって、画面上に画像を表示する表示手段と、
画像データの輝度に関する特徴量である第１特徴量を取得する第１取得手段と、
前記第１取得手段で取得された第１特徴量に基づいて、画像データに階調補正処理を施す画像処理手段と、
を有し、
前記画像処理手段は、階調補正処理対象のフレームに対し、ｎフレーム前（ｎは２以上の整数）のフレームの第１特徴量に基づく階調補正処理を施す
表示装置であって、
シーンの切り替わりを検出する検出手段と、
前記検出手段でシーンの切り替わりが検出された場合に、シーンの切り替わり前のフレームの第１特徴量と、シーンの切り替わり後のフレームの第１特徴量とに基づいて、前記発光手段の発光輝度を制御する制御手段と、
を有することを特徴とする表示装置。
【請求項２】
前記第１取得手段は、前記画面の領域を構成する複数の分割領域のそれぞれについて、その分割領域に表示すべき画像データの第１特徴量を取得し、
前記画像処理手段は、画像データに対し、前記分割領域毎の第１特徴量に基づく階調補正処理を施し、
前記制御手段は、前記検出手段でシーンの切り替わりが検出された場合に、前記分割領域毎に、その分割領域におけるシーンの切り替わり前のフレームの第１特徴量と、当該分割領域におけるシーンの切り替わり後のフレームの第１特徴量とに基づいて、当該分割領域における発光輝度を制御する
ことを特徴とする請求項１に記載の表示装置。
【請求項３】
前記制御手段は、
前記検出手段でシーンの切り替わりが検出されたときに、シーンの切り替わり前のフレームの第１特徴量と、シーンの切り替わり後のフレームの第１特徴量とに基づいて、直前に決定した目標輝度を補正し、
残りの期間では、直前に取得された第１特徴量に基づいて目標輝度を決定し、
前記発光手段の発光輝度を目標輝度に制御する
ことを特徴とする請求項１または２に記載の表示装置。
【請求項４】
前記階調補正処理が施された画像データの輝度に関する特徴量である第２特徴量を取得する第２取得手段をさらに有し、
前記制御手段は、
前記検出手段でシーンの切り替わりが検出されたときに、シーンの切り替わり前のフレームの第１特徴量と、シーンの切り替わり後のフレームの第１特徴量とに基づいて、直前に決定した目標輝度を補正し、
シーンの切り替わりが検出されたときからのｎフレーム分の期間では、直前に取得された第１特徴量に基づいて目標輝度を決定し、
残りの期間では、直前に取得された第２特徴量に基づいて目標輝度を決定し、
前記発光手段の発光輝度を目標輝度に制御する
ことを特徴とする請求項１または２に記載の表示装置。
【請求項５】
前記制御手段は、前記検出手段でシーンの切り替わりが検出された場合に、
シーンの切り替わり前のフレームの第１特徴量と、シーンの切り替わり後のフレーム
の第１特徴量とに基づいて、シーンが切り替わるときの第１特徴量の時間変化の仕方を判断し、
前記第１特徴量の時間変化の仕方の判断結果に基づいて、前記発光手段の発光輝度を制御する
ことを特徴とする請求項１〜４のいずれか１項に記載の表示装置。
【請求項６】
前記階調補正処理は、前記第１特徴量によって示された輝度が高いときに高階調側の階調性を高め、前記第１特徴量によって示された輝度が低いときに低階調側の階調性を高める画像処理であり、
前記制御手段は、
前記第１特徴量によって示された輝度が増加するシーンの切り替わりが検出された場合に、前記発光手段の発光輝度を低減し、
前記第１特徴量によって示された輝度が低下するシーンの切り替わりが検出された場合に、前記発光手段の発光輝度を高める
ことを特徴とする請求項５に記載の表示装置。
【請求項７】
前記制御手段は、前記検出手段でシーンの切り替わりが検出された場合に、
シーンの切り替わり前のフレームの第１特徴量と、シーンの切り替わり後のフレームの第１特徴量とに基づいて、シーンが切り替わるときの第１特徴量の時間変化の度合いをさらに判断し、
前記第１特徴量によって示された輝度が増加するシーンの切り替わりが検出された場合に、シーンが切り替わるときの第１特徴量の時間変化の度合いが高いほど前記発光手段の発光輝度が低くなるように、前記発光手段の発光輝度を低減し、
前記第１特徴量によって示された輝度が低下するシーンの切り替わりが検出された場合に、シーンが切り替わるときの第１特徴量の時間変化の度合いが高いほど前記発光手段の発光輝度が高くなるように、前記発光手段の発光輝度を高める
ことを特徴とする請求項５または６に記載の表示装置。
【請求項８】
発光手段と、画像データに基づいて前記発光手段からの光を変調することによって、画面上に画像を表示する表示手段と、を有する表示装置の制御方法であって、
画像データの輝度に関する特徴量である第１特徴量を取得する第１取得ステップと、
前記第１取得ステップで取得された第１特徴量に基づいて、画像データに階調補正処理を施す画像処理ステップと、
シーンの切り替わりを検出する検出ステップと、
前記発光手段の発光輝度を制御する制御ステップと、
を有し、
前記画像処理ステップでは、階調補正処理対象のフレームに対し、ｎフレーム前（ｎは２以上の整数）のフレームの第１特徴量に基づく階調補正処理を施し、
前記制御ステップでは、前記検出ステップでシーンの切り替わりが検出された場合に、シーンの切り替わり前のフレームの第１特徴量と、シーンの切り替わり後のフレームの第１特徴量とに基づいて、前記発光手段の発光輝度を制御する
を有することを特徴とする表示装置の制御方法。
【請求項９】
前記第１取得ステップでは、前記画面の領域を構成する複数の分割領域のそれぞれについて、その分割領域に表示すべき画像データの第１特徴量を取得し、
前記画像処理ステップでは、画像データに対し、前記分割領域毎の第１特徴量に基づく階調補正処理を施し、
前記制御ステップでは、前記検出ステップでシーンの切り替わりが検出された場合に、前記分割領域毎に、その分割領域におけるシーンの切り替わり前のフレームの第１特徴量と、当該分割領域におけるシーンの切り替わり後のフレームの第１特徴量とに基づいて、
当該分割領域における発光輝度を制御する
ことを特徴とする請求項８に記載の表示装置の制御方法。
【請求項１０】
前記制御ステップでは、
前記検出ステップでシーンの切り替わりが検出されたときに、シーンの切り替わり前のフレームの第１特徴量と、シーンの切り替わり後のフレームの第１特徴量とに基づいて、直前に決定した目標輝度を補正し、
残りの期間では、直前に取得された第１特徴量に基づいて目標輝度を決定し、
前記発光手段の発光輝度を目標輝度に制御する
ことを特徴とする請求項８または９に記載の表示装置の制御方法。
【請求項１１】
前記階調補正処理が施された画像データの輝度に関する特徴量である第２特徴量を取得する第２取得ステップをさらに有し、
前記制御ステップでは、
前記検出ステップでシーンの切り替わりが検出されたときに、シーンの切り替わり前のフレームの第１特徴量と、シーンの切り替わり後のフレームの第１特徴量とに基づいて、直前に決定した目標輝度を補正し、
シーンの切り替わりが検出されたときからのｎフレーム分の期間では、直前に取得された第１特徴量に基づいて目標輝度を決定し、
残りの期間では、直前に取得された第２特徴量に基づいて目標輝度を決定し、
前記発光手段の発光輝度を目標輝度に制御する
ことを特徴とする請求項８または９に記載の表示装置の制御方法。
【請求項１２】
前記制御ステップでは、前記検出ステップでシーンの切り替わりが検出された場合に、
シーンの切り替わり前のフレームの第１特徴量と、シーンの切り替わり後のフレームの第１特徴量とに基づいて、シーンが切り替わるときの第１特徴量の時間変化の仕方を判断し、
前記第１特徴量の時間変化の仕方の判断結果に基づいて、前記発光手段の発光輝度を制御する
ことを特徴とする請求項８〜１１のいずれか１項に記載の表示装置の制御方法。
【請求項１３】
前記階調補正処理は、前記第１特徴量によって示された輝度が高いときに高階調側の階調性を高め、前記第１特徴量によって示された輝度が低いときに低階調側の階調性を高める画像処理であり、
前記制御ステップでは、
前記第１特徴量によって示された輝度が増加するシーンの切り替わりが検出された場合に、前記発光手段の発光輝度を低減し、
前記第１特徴量によって示された輝度が低下するシーンの切り替わりが検出された場合に、前記発光手段の発光輝度を高める
ことを特徴とする請求項１２に記載の表示装置の制御方法。
【請求項１４】
前記制御ステップでは、前記検出ステップでシーンの切り替わりが検出された場合に、
シーンの切り替わり前のフレームの第１特徴量と、シーンの切り替わり後のフレームの第１特徴量とに基づいて、シーンが切り替わるときの第１特徴量の時間変化の度合いをさらに判断し、
前記第１特徴量によって示された輝度が増加するシーンの切り替わりが検出された場合に、シーンが切り替わるときの第１特徴量の時間変化の度合いが高いほど前記発光手段の発光輝度が低くなるように、前記発光手段の発光輝度を低減し、
前記第１特徴量によって示された輝度が低下するシーンの切り替わりが検出された場合に、シーンが切り替わるときの第１特徴量の時間変化の度合いが高いほど前記発光手段
の発光輝度が高くなるように、前記発光手段の発光輝度を高める
ことを特徴とする請求項１２または１３に記載の表示装置の制御方法。
【請求項１５】
請求項８〜１４のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
表示画像のコントラストを好適に制御するための技術として、フレーム毎に、画像データのＡＰＬ（平均輝度レベル）や輝度ヒストグラムなどの特徴量を取得し、フレーム毎に、取得された特徴量に基づいてγカーブを決定し設定する技術が提案されている。以後、このようなγ変換処理をダイナミックγ処理と表記する。このような技術は、例えば、特許文献１に記載されている。
また、透過型の液晶パネルとバックライトを有する表示装置に関する技術として、画像データの特徴量に応じてバックライトの光量を動的に制御する技術が提案されている。このような技術は、例えば、特許文献２に記載されている。
【０００３】
しかしながら、ダイナミックγ処理において、γカーブの算出に時間がかかると、特徴量を取得したフレームとγカーブを設定（適用）するフレームとがずれるため、シーンの切り替わり後に画面にちらつきが生じることがある。具体的には、特徴量に基づいて決定されたγカーブの適用が遅れるため、シーンの切り替わり後に画面にちらつきが生じることがある。同様に、バックライトの光量を動的に制御する場合にも、特徴量を取得するフレームと光量を設定するフレームとがずれるため、シーンの切り替わり後に画面にちらつきが生じることがある。そのため、シーンの切り替わりが検出された場合に、シーンの切り替わり後のフレームに対して設定するγカーブや光量を、当該フレームの特徴量に応じて決定することのできる技術が提案されている。このような技術は、例えば、特許文献３に記載されている。
【先行技術文献】
【特許文献】
【０００４】
【特許文献１】特開平０３−１２６３７７号公報
【特許文献２】特開２００１−２７８９０号公報
【特許文献３】特開２００７−１２１９５３号公報
【発明の概要】
【発明が解決しようとする課題】
【０００５】
しかしながら、特許文献３に記載の技術では、シーンの切り替わり後のフレームに対する処理（輝度データや光量を制御する処理）を、当該フレームの特徴量に応じて行うために、フレームバッファが使用される。具体的には、シーンの切り替わり後のフレームに対する処理を行うときに当該フレームの特徴量が記録されるフレームバッファが使用される。そのようなフレームバッファを用いると、画像データが入力されてから表示されるまでの遅延時間が増加してしまう。
【０００６】
本発明は、少ない遅延時間で画像データを表示することができ、且つ、特徴量に基づく階調補正処理の適用の遅れによってシーンの切り替わりの際に発生する画面のちらつきを低減することができる技術を提供することを目的とするである。
【課題を解決するための手段】
【０００７】
本発明の第１の態様は、
発光手段と、
画像データに基づいて前記発光手段からの光を変調することによって、画面上に画像を
表示する表示手段と、
画像データの輝度に関する特徴量である第１特徴量を取得する第１取得手段と、
前記第１取得手段で取得された第１特徴量に基づいて、画像データに階調補正処理を施す画像処理手段と、
を有し、
前記画像処理手段は、階調補正処理対象のフレームに対し、ｎフレーム前（ｎは２以上の整数）のフレームの第１特徴量に基づく階調補正処理を施す
表示装置であって、
シーンの切り替わりを検出する検出手段と、
前記検出手段でシーンの切り替わりが検出された場合に、シーンの切り替わり前のフレームの第１特徴量と、シーンの切り替わり後のフレームの第１特徴量とに基づいて、前記発光手段の発光輝度を制御する制御手段と、
を有することを特徴とする表示装置である。
【０００８】
本発明の第２の態様は、
発光手段と、画像データに基づいて前記発光手段からの光を変調することによって、画面上に画像を表示する表示手段と、を有する表示装置の制御方法であって、
画像データの輝度に関する特徴量である第１特徴量を取得する第１取得ステップと、
前記第１取得ステップで取得された第１特徴量に基づいて、画像データに階調補正処理を施す画像処理ステップと、
シーンの切り替わりを検出する検出ステップと、
前記発光手段の発光輝度を制御する制御ステップと、
を有し、
前記画像処理ステップでは、階調補正処理対象のフレームに対し、ｎフレーム前（ｎは２以上の整数）のフレームの第１特徴量に基づく階調補正処理を施し、
前記制御ステップでは、前記検出ステップでシーンの切り替わりが検出された場合に、シーンの切り替わり前のフレームの第１特徴量と、シーンの切り替わり後のフレームの第１特徴量とに基づいて、前記発光手段の発光輝度を制御する
を有することを特徴とする表示装置の制御方法である。
【０００９】
本発明の第３の態様は、上述した表示装置の制御方法の各ステップをコンピュータに実行させることを特徴とするプログラムである。
【発明の効果】
【００１０】
本発明によれば、少ない遅延時間で画像データを表示することができ、且つ、特徴量に基づく階調補正処理の適用の遅れによってシーンの切り替わりの際に発生する画面のちらつきを低減することができる。
【図面の簡単な説明】
【００１１】
【図１】実施例１に係る表示装置の構成を示す図
【図２】実施例１に係る特徴量取得部の構成を示す図
【図３】実施例１に係る分割領域の一例を示す図
【図４】実施例１に係る暗部注目階調値と明部注目階調値の決定方法を示す図
【図５】実施例１に係るγカーブ決定部の処理フローを示す図
【図６】実施例１に係る暗部γカーブと明部γカーブの候補を示す図
【図７】実施例１に係るγ補正部での処理の一例を示す図
【図８】実施例１に係る特徴量変化判断部の処理フローを示す図
【図９】実施例１に係るバックライト制御値決定部の処理フローを示す図
【図１０】実施例１に係る暗部面積からバックライト制御値への変換特性を示す図
【図１１】実施例１に係る特徴量変化値から乗算係数への変換特性を示す図
【図１２】実施例１に係るバックライト制御を示す図
【図１３】実施例２に係る表示装置の構成を示す図
【図１４】実施例２に係る特徴量取得部の構成を示す図
【図１５】実施例２に係る分割γ補正部２０３の処理を示す図
【図１６】実施例２に係るバックライトモジュールの構成を示す図
【図１７】実施例３に係る表示装置の構成を示す図
【図１８】実施例３に係るバックライト制御値の適用の遅れを示す図
【図１９】実施例３に係る使用特徴量判断部の処理フローを示す図
【図２０】実施例３に係る分割バックライト制御値決定部の処理フローを示す図
【図２１】実施例３に係る暗部注目階調値から係数への変換特性を示す図
【図２２】実施例３に係るバックライト制御を示す図
【発明を実施するための形態】
【００１２】
＜実施例１＞
以下、本発明の実施例１に係る表示装置及びその制御方法について説明する。
なお、以下では、本実施例に係る表示装置が、透過型の液晶表示装置である場合の例を説明するが、本実施例に係る表示装置はこれに限らない。本実施例に係る表示装置は、光源装置から発せられた光を変調することで画面に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１３】
図１は、本実施例に係る表示装置の構成を示すブロック図である。図１に示すように、本実施例に係る表示装置１００は、特徴量取得部１０１、γカーブ決定部１０２、γ補正部１０３、液晶駆動回路部１０４、液晶パネル１０５、シーンチェンジ検出部１０６、特徴量変化判断部１０７、バックライト制御値決定部１０８、バックライト制御部１０９、バックライトモジュール１１０、などを有する。
【００１４】
特徴量取得部１０１は、入力画像データ（表示装置１００に入力された画像データ）の輝度に関する特徴量を取得する。本実施例では、特徴量として、分割輝度ヒストグラム、注目階調値、全体輝度ヒストグラム、及び、ＡＰＬ値が取得される。分割輝度ヒストグラム、注目階調値、全体輝度ヒストグラム、及び、ＡＰＬ値については後述する。ただし、特徴量取得部１０１は、入力画像データの輝度に関する特徴量を取得すればよく、例えば、分割輝度ヒストグラム、注目階調値、全体輝度ヒストグラム、及び、ＡＰＬ値のうちの、少なくとも１つ以上を取得すればよい。
図２は、特徴量取得部１０１の構成を示すブロック図である。図２に示すように、特徴量取得部１０１は、分割輝度ヒストグラム取得部１１、注目階調値決定部１２、全体輝度ヒストグラム取得部１３、ＡＰＬ値取得部１４、などを有する。
【００１５】
分割輝度ヒストグラム取得部１１は、画面の領域を構成する複数の分割領域ｄ（ｉ）のそれぞれについて、その分割領域に表示すべき入力画像データの輝度ヒストグラムＨｄ（ｉ）を分割輝度ヒストグラムとして取得する。本実施例では、図３に示すように、画面の領域が、３行×４列の計１５個の分割領域ｄ（０）〜ｄ（１４）から構成されている。分割輝度ヒストグラム取得部１１は、入力画像データＩを、１５個の分割領域ｄ（０）〜ｄ（１４）に対応する１５個の分割画像データ（対応する分割領域の画素からなる画像データ）に分割する。そして、分割輝度ヒストグラム取得部１１は、分割画像データ毎に、その分割画像データから、当該分割画像データの輝度ヒストグラム（分割輝度ヒストグラム）Ｈｄ（ｉ）を取得する。本実施例では、１５個の分割領域ｄ（０）〜ｄ（１４）に対応する１５個の分割輝度ヒストグラムＨｄ（０）〜Ｈｄ（１４）が取得される。本実施例で
は、画像データの取り得る階調値の範囲が０以上２５５以下の範囲（８ビット範囲）であり、階調値毎にその階調値の画素数を示す輝度ヒストグラムが取得されるものとする。
分割輝度ヒストグラム取得部１１は、取得した分割輝度ヒストグラムＨｄ（０）〜Ｈｄ（１４）を、注目階調値決定部１２に出力する。
【００１６】
なお、本実施例では入力画像データＩのフレームレートが６０フレーム／秒であるものとするが、入力画像データＩのフレームレートは６０フレーム／秒より高くても低くてもよい。
なお、画面の領域を構成する分割領域の数は、１５個より多くても少なくてもよい。
なお、画像データの取り得る階調値の範囲は、０以上２５５以下の範囲より狭くても広くてもよい。
なお、輝度ヒストグラムのカテゴリの幅（階調値の範囲）は、１より大きくてもよい。
【００１７】
注目階調値決定部１２は、分割輝度ヒストグラムＨｄ（ｉ）に基づいて、暗部注目階調値Ｎｂ（ｉ）及び明部注目階調値Ｎｗ（ｉ）を決定する。
図４は、輝度ヒストグラムＨｄ（ｉ）から暗部注目階調値Ｎｂ（ｉ）と明部注目階調値Ｎｗ（ｉ）を決定する方法を示す図である。図４に示すように、ヒストグラムの複数のピークのうち、最も低階調側のピークを示す階調値が暗部注目階調値Ｎｂ（ｉ）として決定（検出）され、最も高階調側のピークを示す階調値が明部注目階調値Ｎｗ（ｉ）として決定される。
注目階調値決定部１２は、分割領域毎に、暗部注目階調値と明部注目階調値を決定する。そのため、１５個の輝度ヒストグラムＨｄ（０）〜Ｈｄ（１４）から、１５個の暗部注目階調値Ｎｂ（０）〜Ｎｂ（１４）と、１５個の明部注目階調値Ｎｗ（０）〜Ｎｗ（１４）とが決定される。
注目階調値決定部１２は、決定した暗部注目階調値Ｎｂ（０）〜Ｎｂ（１４）と明部注目階調値Ｎｗ（０）〜Ｎｗ（１４）を、γカーブ決定部１０２に出力する。
【００１８】
全体輝度ヒストグラム取得部１３は、入力画像データから、入力画像データの輝度ヒストグラムＨａを、全体輝度ヒストグラムとして取得する。そして、全体輝度ヒストグラム取得部１３は、取得した全体輝度ヒストグラムＨａを、バックライト制御値決定部１０８に出力する。
【００１９】
ＡＰＬ値取得部１４は、入力画像データから、入力画像データのＡＰＬ値ａを取得する。ＡＰＬ値は、画像データの各画素の輝度値の総和を画像データの総画素数で除算した値である。本実施例では、ＡＰＬ値ａが８ビット精度で算出されるものとする。即ち、本実施例では、ＡＰＬ値ａが０以上２５５以下の整数値を取り得るものとする。
ＡＰＬ値取得部１４は、取得したＡＰＬ値ａを、γカーブ決定部１０２とシーンチェンジ検出部１０６に出力する。
なお、ＡＰＬ値の算出精度は、８ビット精度より高くても低くてもよい。
【００２０】
なお、特徴量取得部１０１で取得される特徴量は、分割輝度ヒストグラム、注目階調値、全体輝度ヒストグラム、及び、ＡＰＬ値に限らない。例えば、階調値の代表値（最小値、最大値、最頻値、中間値、平均値）が取得されてもよいし、輝度値の代表値が取得されてもよい。
【００２１】
γカーブ決定部１０２とγ補正部１０３により、特徴量取得部１０１で取得された特徴量に基づいて、入力画像データに階調補正処理が施される。本実施例では、階調補正処理として、特徴量によって示された輝度が高いときに高階調側の階調性を高め、特徴量によって示された輝度が低いときに低階調側の階調性を高める画像処理が行われる。
なお、本実施例では、階調補正処理がγ補正である場合の例を説明するが、γ補正以外
の階調補正処理が行われてもよい。
【００２２】
γカーブ決定部１０２は、注目階調値決定部１２で決定された暗部注目階調値Ｎｂ（０）〜Ｎｂ（１４）と明部注目階調値Ｎｗ（０）〜Ｎｗ（１４）を用いて、γカーブを決定する。具体的には、γカーブ決定部１０２は、注目階調値決定部１２で決定された暗部注目階調値Ｎｂ（０）〜Ｎｂ（１４）と明部注目階調値Ｎｗ（０）〜Ｎｗ（１４）を用いて、暗部係数ｃｏｅｂと明部係数ｃｏｅｗを決定する。そして、γカーブ決定部１０２は、決定した暗部係数ｃｏｅｂと明部係数ｃｏｅｗを用いて、γカーブを決定する。
【００２３】
γカーブ決定部１０２の処理フローを図５に示す。
【００２４】
まず、暗部係数ｃｏｅｂが算出される（Ｓ１０１）。本実施例では、１５個の暗部注目階調値Ｎｂ（０）〜Ｎｂ（１４）の最小値が暗部係数ｃｏｅｂとして算出される。具体的には、以下の式１を用いて暗部係数ｃｏｅｂが算出される。式１において、ｍｉｎ［］は、引数（[]内の記載の値）の最小値を返す関数である。
ｃｏｅｂ＝ｍｉｎ［Ｎｂ（０）〜Ｎｂ（１４）］  ・・・（式１）
本実施例では、最も小さい暗部注目階調値を用いてγカーブを決定することで、入力画像データの輝度が低いときに低階調側の階調性を高めるγカーブを決定することが可能となり、暗部の階調つぶれを抑制するγ補正を行うことが可能となる。
【００２５】
次に、明部係数ｃｏｅｗが算出される（Ｓ１０２）。本実施例では、１５個の明部注目階調値Ｎｗ（０）〜Ｎｗ（１４）の最大値が明部係数ｃｏｅｗとして算出される。具体的には、以下の式２を用いて明部係数ｃｏｅｗが算出される。式２において、ｍａｘ［］は、引数（[]内の記載の値）の最大値を返す関数である。
ｃｏｅｗ＝ｍａｘ［Ｎｗ（０）〜Ｎｗ（１４）］  ・・・（式２）
本実施例では、最も大きい明部注目階調値を用いてγカーブを決定することで、入力画像データの輝度が高いときに高階調側の階調性を高めるγカーブを決定することが可能となり、明部の階調つぶれを抑制するγ補正を行うことが可能となる。
【００２６】
そして、Ｓ１０１で算出された暗部係数ｃｏｅｂと、Ｓ１０２で算出された明部係数ｃｏｅｗとを用いて、γカーブが決定される（Ｓ１０３）。決定されたγカーブは、γ補正部１０３に出力され、決定された暗部係数ｃｏｅｂと明部係数ｃｏｅｗは、特徴量変化判断部１０７に出力される。
【００２７】
本実施例では、γカーブは、低階調範囲の階調値を補正する暗部γカーブ、高階調範囲の階調値を補正する明部γカーブ、及び、中間階調範囲の階調値を補正する中間部γカーブからなる。
図６は、暗部γカーブの候補（暗部候補）Ｂ、及び、明部γカーブの候補（明部候補）Ｗを示す。暗部候補Ｂは０以上１２８以下の階調値を補正するγカーブであり、明部候補Ｗは１９２以上２５５以下の階調値を補正するγカーブである。暗部候補と明部候補のカーブデータは、γカーブ決定部１０２が有する不図示のメモリに予め格納されている。
図６に示すように、本実施例では、暗部候補として２５６個の階調値に対応する２５６個のγカーブが用意されており、明部候補として２５６個の階調値に対応する２５６個のγカーブが用意されている。具体的には、暗部候補として、対応する階調値が低いほど低階調範囲の階調性を高める２５６個のγカーブが用意されている。そして、明部候補として、対応する階調値が高いほど高階調範囲の階調性を高める２５６個のγカーブが用意さ
れている。
【００２８】
γカーブ決定部１０２は、２５６個の暗部候補のうち、Ｓ１０１で算出された暗部係数ｃｏｅｂに対応する暗部候補Ｂ（ｃｏｅｂ）を、暗部γカーブとして選択する。また、γカーブ決定部１０２は、２５６個の明部候補のうち、Ｓ１０２で算出された明部係数ｃｏｅｗに対応する明部候補Ｗ（ｃｏｅｗ）を、明部γカーブとして選択する。
このように暗部γカーブと明部γカーブを決定することにより、暗部注目階調値の最小値が低いほど暗部の階調性を高め、明部注目階調値の最大値が高いほど明部の階調性を高めるγカーブを得ることができる。そのようなγカーブを用いてγ補正を行うことにより、暗部と明部の視認性を向上することができる。
中間部γカーブは、１２９以上１９１以下の階調値を補正するγカーブである。γカーブ決定部１０２は、決定した暗部γカーブＢ（ｃｏｅｂ）と明部γカーブＷ（ｃｏｅｗ）の間を線形補間することにより、中間部γカーブを算出する。
【００２９】
なお、γカーブの決定方法は上記方法に限らない。例えば、暗部γカーブＢ（ｃｏｅｂ）と明部γカーブＷ（ｃｏｅｗ）が滑らかに繋がるように、中間部γカーブとして高次関数が算出されてもよい。一部の階調範囲の階調値を補正する複数のγカーブ（暗部候補や明部候補）ではなく、全階調範囲の階調値を補正する複数のγカーブ（γ値）が用意されていてもよい。そして、入力画像データの全体の明るさに応じて、全階調範囲の階調値を補正する複数のγカーブの中から、１つのγカーブが選択されてもよい。
【００３０】
γ補正部１０３は、γカーブ決定部１０２で決定されたγカーブを用いて、入力画像データにγ補正を施す。そして、γ補正部１０３は、γ補正後の画像データを出力する。
【００３１】
γ補正部１０３での処理の一例を図７に示す。
図７において、フレームＮ（Ｎ番目のフレーム）からフレームＮ＋２は明るいシーンのフレームであり、フレームＮ＋３からフレームＮ＋６は暗いシーンのフレームである。
本実施例では、γカーブを決定するために、各分割領域の輝度ヒストグラム（分割輝度ヒストグラム）が取得され、分割輝度ヒストグラムから暗部注目階調値と明部注目階調値が検出される。そのような多くの特徴量を用いてγカーブを決定することにより、入力画像データに対して高精度なγ補正（階調補正処理）を施すことができる。
しかしながら、高精度なγ補正を実現するためには、γカーブの決定に長時間を要してしまう。
そのため、本実施例では、階調補正処理対象のフレームに対し、ｎフレーム前（ｎは２以上の整数）のフレームの特徴量に基づく階調補正処理が施される。具体的には、γ補正対象のフレームに対し、ｎフレーム前のフレームの特徴量に基づいて決定されたγカーブを用いたγ補正が施される。図７は、ｎ＝２の場合の例を示す。そのため、図７の例では、γ補正対象のフレームに対し、２フレーム前のフレームの特徴量に基づいて決定されたγカーブを用いたγ補正が施される。換言すれば、図７の例では、γカーブの適用が２フレーム分の時間だけ遅れる。
【００３２】
フレームＮ＋２に対しては、フレームＮの特徴量に基づいて決定されたγカーブが適用される。フレームＮ＋２とフレームＮはどちらも明るいシーンのフレームであり、画像データの差は小さい。そのため、γカーブの適用が２フレーム分の時間だけ遅れていても、フレームＮ＋２に対しては適切なγカーブが適用される。
フレームＮ＋３に対しては、フレームＮ＋１の特徴量に基づいて決定されたγカーブが適用される。フレームＮ＋３は暗いシーンのフレームであり、フレームＮ＋１は明るいシーンのフレームであるため、画像データの差は大きい。そのため、γカーブの適用が２フレーム分の時間だけ遅れることにより、フレームＮ＋３に対して不適切なγカーブが適用されてしまう。
フレームＮ＋４に対しては、フレームＮ＋２の特徴量に基づいて決定されたγカーブが適用される。フレームＮ＋４は暗いシーンのフレームであり、フレームＮ＋２は明るいシーンのフレームである。そのため、フレームＮ＋３と同様に、フレームＮ＋４に対しても不適切なγカーブが適用されてしまう。
フレームＮ＋５に対しては、フレームＮ＋３の特徴量に基づいて決定されたγカーブが適用される。フレームＮ＋５とフレームＮ＋３はどちらも暗いシーンのフレームであり、画像データの差は小さい。そのため、γカーブの適用が２フレーム分の時間だけ遅れていても、フレームＮ＋５に対しては適切なγカーブが適用される。
【００３３】
図７の例では、フレームＮ＋３からフレームＮ＋６の画像データは暗い画像データである。しかし、フレームＮ＋３とフレームＮ＋４に対して、明るい画像データの特徴量に基づいて決定されたγカーブが適用され、フレームＮ＋５とフレームＮ＋６に対しては、暗い画像から作成したγカーブが適用される。このように、本実施例では、明るいシーンから暗いシーンに切り替わった後、暗いシーンの特徴量に基づいて決定されたγカーブが２フレーム遅れて適用される。同様に、暗いシーンから明るいシーンに切り替わった後、明るいシーンの特徴量に基づいて決定されたγカーブが２フレーム遅れて適用される。
【００３４】
γカーブの適用の遅れが１フレーム分の時間（１／６０秒）であれば、そのような遅れの影響はほとんど視認されない。しかし、γカーブの適用の遅れが２フレーム分の時間（２／６０秒）以上である場合には、そのような遅れの影響がちらつきとして顕著に視認されてしまう。また、シーンの切り替わりによるγカーブの変化の度合いが高いほど、ちらつきは目立ちやすくなる。換言すれば、シーンの切り替わりによる特徴量の変化の度合いが高いほど、ちらつきは目立ちやすくなる。
そこで、本実施例では、シーンの切り替わりの際に、γカーブの適用の遅れによって生じるちらつきが低減するように、バックライトモジュール１１０の発光輝度を制御する。
【００３５】
液晶駆動回路部１０４は、γ補正部１０３でγ補正された画像データを液晶パネル１０５に出力する。
なお、本実施例では、入力画像データのフレームレートと同じフレームレート（６０フレーム／秒）で表示が行われるものとする。表示のフレームレートが入力のフレームレートと異なる場合には、表示のフレームレートと一致するように、画像データのフレームレートが変換される。
【００３６】
液晶パネル１０５は、液晶駆動回路部１０４から出力された画像データに基づいて、バックライトモジュール１１０からの光を透過することによって、画面上に画像を表示する表示パネルである。
【００３７】
シーンチェンジ検出部１０６は、シーンの切り替わりを検出し、検出結果（シーンチェンジ検出情報Ｓｃ）を特徴量変化判断部１０７とバックライト制御値決定部１０８に出力する（シーンチェンジ判定）。本実施例では、ＡＰＬ値取得部１３で取得された入力画像データのＡＰＬ値ａと、１フレーム前に取得されたＡＰＬ値ａ＿ｏｌｄとに基づいて、シーンの切り替わりが検出される。具体的には、シーンチェンジ検出部１０６は、ＡＰＬ値ａとＡＰＬ値ａ＿ｏｌｄの差（差の絶対値）が所定値以上の場合にシーンが切り替わったと判断し、シーンチェンジ検出情報Ｓｃ＝１を出力する。また、シーンチェンジ検出部１０６は、ＡＰＬ値ａとＡＰＬ値ａ＿ｏｌｄの差（差の絶対値）が所定値未満の場合にシーンが切り替わったと判断し、シーンチェンジ検出情報Ｓｃ＝０を出力する。そして、シーンチェンジ検出部１０６は、上記判断を行った後（例えば、シーンチェンジ検出情報Ｓｃを出力した後）に、ＡＰＬ値ａ＿ｏｌｄの値をＡＰＬ値ａの値に更新する。
なお、シーンの切り替わりの検出方法は、上記方法に限らない。例えば、シーンの切り替わりを示す付加データが画像データに付加されている場合には、付加データを用いてシ
ーンの切り替わりが検出されてもよい。
【００３８】
特徴量変化判断部１０７、バックライト制御値決定部１０８、及び、バックライト制御部１０９により、バックライトモジュール１１０の発光輝度が制御される。本実施例では、シーンチェンジ検出部１０６でシーンの切り替わりが検出された場合に、シーンの切り替わり前のフレームの特徴量と、シーンの切り替わり後のフレームの特徴量とに基づいて、バックライトモジュール１１０の発光輝度が制御される。それにより、シーンの切り替わりの際に、γカーブの適用の遅れによって生じるちらつきを低減することができる。
【００３９】
特徴量変化判断部１０７は、シーンチェンジ検出部１０６でシーンの切り替わりが検出された場合に、シーンが切り替わるときの特徴量の時間変化の仕方と、シーンが切り替わるときの特徴量の時間変化の度合いとを判断する。時間変化の仕方と度合いは、シーンの切り替わり前のフレームの特徴量と、シーンの切り替わり後のフレームの特徴量に基づいて判断される。
具体的には、特徴量変化判断部１０７は、シーンチェンジ検出部１０６からシーンチェンジ検出情報Ｓｃ＝１が入力された場合に、特徴量変化値ｓ＿ｄｉｆｆを算出する。特徴量変化値ｓ＿ｄｉｆｆは、ＡＰＬ値取得部１４で取得されたＡＰＬ値ａ、１フレーム前に取得されたＡＰＬ値ａ＿ｏｌｄ、及び、１フレーム前に算出された暗部係数ｃｏｅｂ＿ｏｌｄと明部係数ｃｏｅｗ＿ｏｌｄに基づいて算出される。そして、特徴量変化判断部１０７は、シーンが切り替わるときの特徴量の時間変化の仕方と度合いの判断結果として、算出した特徴量変化値ｓ＿ｄｉｆｆをバックライト制御値決定部１０８に出力する。特徴量変化値ｓ＿ｄｉｆｆは、シーンが切り替わるときの特徴量の時間変化の仕方と度合いを示す値である。特徴量変化値ｓ＿ｄｉｆｆは、シーンの切り替わりの際に生じるちらつきの度合いを示す値でもある。
【００４０】
本実施例では、明部係数ｃｏｅｗの値が小さい場合、明部を浮かせる（明部の階調性を低減する）γカーブが得られる。そして、暗い画像データからは、明るい画像データに比べて小さい明部係数ｃｏｅｗが算出される。そのため、暗いシーンから明るいシーンへ切り替わった場合、明部係数ｃｏｅｗは大きく増加するため、明部を浮かせるカーブから明部を沈める（明部の階調性を高める）カーブへγカーブが大きく変化する。そして、明るいシーンから暗いシーンへ切り替わった場合、明部係数ｃｏｅｗは大きく低下するため、明部を沈めるカーブから明部を浮かせるカーブへγカーブが大きく変化する。
【００４１】
また、暗部係数ｃｏｅｂの値が大きい場合、暗部を沈める（暗部の階調性を低減する）γカーブが得られる。そして、明るい画像データからは、暗い画像データに比べて大きい暗部係数ｃｏｅｂが算出される。そのため、明るいシーンから暗いシーンへ切り替わった場合、明部係数ｃｏｅｂは大きく低下するため、暗部を沈めるカーブから暗部を浮かせる（暗部の階調性を高める）カーブへγカーブが大きく変化する。そして、暗いシーンから明るいシーンへ切り替わった場合、暗部係数ｃｏｅｂは大きく増加するため、暗部を浮かせるカーブから暗部を沈めるカーブへγカーブが大きく変化する。
【００４２】
そのため、暗いシーンと明るいシーンの間のシーンの切り替わりが生じたときにγカーブの適用の遅れによってちらつきが発生する可能性は高い。また、シーンの切り替わり前の明るさと、シーンの切り替わりの明るさとの差が大きいほど、上記ちらつきは目立ち易い。
【００４３】
本実施例では、上述した傾向を考慮して、特徴量変化値ｓ＿ｄｉｆｆを算出する。バックライト制御値決定部１０８では、算出された特徴量変化値ｓ＿ｄｉｆｆを用いて、シーンの切り替わりの際に生じるちらつきが低減するように、バックライトモジュール１１０の発光輝度の制御（バックライト制御値の算出）が行われる。
【００４４】
特徴量変化判断部１０７の処理フローを図８に示す。
【００４５】
まず、特徴量変化判断部１０７が、シーンチェンジ検出部１０６から出力されたシーンチェンジ検出情報Ｓｃが０か否かを判断する（Ｓ２０１）。シーンチェンジ検出情報Ｓｃ＝０の場合、Ｓ２０２へ処理が進められ、シーンチェンジ検出情報Ｓｃ＝１の場合、Ｓ２０４へ処理が進められる。
【００４６】
Ｓ２０２では、特徴量変化判断部１０７が、ｓ＿ｄｉｆｆ＝０を出力する。そして、Ｓ２０３へ処理が進められる。
【００４７】
Ｓ２０４では、特徴量変化判断部１０７が、以下の式３を用いて、特徴量変化値ｓ＿ｄｉｆｆを算出する。
ｓ＿ｄｉｆｆ＝ａ−ａ＿ｏｌｄ  ・・・（式３）
【００４８】
次に、特徴量変化判断部１０７が、Ｓ２０４で算出されたｓ＿ｄｉｆｆが０より大きいか否かを判断する（Ｓ２０５）。ｓ＿ｄｉｆｆ＞０の場合、Ｓ２０６へ処理が進められ、ｓ＿ｄｉｆｆ≦０の場合、Ｓ２０７へ処理が進められる。
【００４９】
Ｓ２０６では、特徴量変化判断部１０７が、以下の式４を用いて、特徴量変化値ｓ＿ｄｉｆｆを補正する。そして、Ｓ２０３へ処理が進められる。
ｓ＿ｄｉｆｆ＝ｓ＿ｄｉｆｆ×（（２５５−ｃｏｅｗ＿ｏｌｄ）／２５５）
・・・（式４）
式４で算出された特徴量変化値ｓ＿ｄｉｆｆは、特徴量によって示された輝度が増加するシーンの切り替わりが検出されたことを示す。換言すれば、式４で算出された特徴量変化値ｓ＿ｄｉｆｆは、暗いシーンから明るいシーンへの切り替わりが検出されたことを示す。また、式４では、シーンが切り替わるときの輝度（特徴量）の変化の度合いが高いほど大きい特徴量変化値ｓ＿ｄｉｆｆが算出される。即ち、シーンが切り替わるときに生じるちらつきの変化の度合いが高いほど大きい特徴量変化値ｓ＿ｄｉｆｆが算出される。具体的には、シーンの切り替わり前の明部係数ｃｏｅｗ＿ｏｌｄが小さいほど、シーンが切り替わるときの輝度（特徴量）の変化の度合いは大きく、ちらつきが目立ち易いと考えられる。そして、式４では、シーンの切り替わり前の明部係数ｃｏｅｗ＿ｏｌｄが小さいほど大きい特徴量変化値ｓ＿ｄｉｆｆが算出される。
本実施例では、特徴量変化値ｓ＿ｄｉｆｆとして、−２５５以上２５５以下の値が算出される。
【００５０】
Ｓ２０７では、特徴量変化判断部１０７が、以下の式５を用いて、特徴量変化値ｓ＿ｄｉｆｆを補正する。そして、Ｓ２０３へ処理が進められる。
ｓ＿ｄｉｆｆ＝ｓ＿ｄｉｆｆ×（ｃｏｅｂ＿ｏｌｄ／２５５）
・・・（式５）
式５で算出された特徴量変化値ｓ＿ｄｉｆｆは、特徴量によって示された輝度が低下するシーンの切り替わりが検出されたことを示す。換言すれば、式５で算出された特徴量変化値ｓ＿ｄｉｆｆは、明るいシーンから暗いシーンへの切り替わりが検出されたことを示す。また、式５では、シーンが切り替わるときの輝度（特徴量）の変化の度合いが高いほど小さい特徴量変化値ｓ＿ｄｉｆｆが算出される。即ち、シーンが切り替わるときに生じるちらつきの変化の度合いが高いほど小さい特徴量変化値ｓ＿ｄｉｆｆが算出される。具
体的には、シーンの切り替わり前の暗部係数ｃｏｅｂ＿ｏｌｄが大きいほど、シーンが切り替わるときの輝度（特徴量）の変化の度合いは大きく、ちらつきが目立ち易いと考えられる。そして、式５では、シーンの切り替わり前の暗部係数ｃｏｅｂ＿ｏｌｄが大きいほど小さい特徴量変化値ｓ＿ｄｉｆｆが算出される。
本実施例では、特徴量変化値ｓ＿ｄｉｆｆとして、−２５５以上２５５以下の値が算出される。
【００５１】
Ｓ２０３では、特徴量変化判断部１０７が、ｃｏｅｂ＿ｏｌｄの値をｃｏｅｂの値に、ｃｏｅｗ＿ｏｌｄの値をｃｏｅｗの値に更新する。
【００５２】
バックライト制御値決定部１０８は、バックライトモジュール１１０の目標輝度を示すバックライト制御値を決定する。
具体的には、バックライト制御値決定部１０８は、シーンチェンジ検出部１０６でシーンの切り替わりが検出されたか否かを、シーンチェンジ検出部１０６から出力されたシーンチェンジ検出情報Ｓｃに基づいて判断する。
そして、バックライト制御値決定部１０８は、シーンの切り替わりが検出されたときに、特徴量変化判断部１０７から出力された特徴量変化値ｓ＿ｄｉｆｆに基づいて、直前に決定したバックライト制御値を補正する。即ち、シーンの切り替わりが検出されたときに、シーンの切り替わり前のフレームの特徴量と、シーンの切り替わり後のフレームの特徴量とに基づいて、直前に決定したバックライト制御値が補正される。それにより、ちらつきを低減するバックライト制御値ｂｌ＿ｇｒが決定される。
残りの期間（シーンの切り替わりが検出されたときを除いた期間）では、バックライト制御値決定部１０８は、全体輝度ヒストグラム取得部１３で直前に取得された全体輝度ヒストグラムＨａに基づいて、目標輝度（バックライト制御値ｂｌ＿ｇ）を決定する。
決定されたバックライト制御値はバックライト制御部１０９に出力される。
【００５３】
シーンが切り替わった際に、特徴量を取得するフレームとγカーブを設定するフレームが２／６０秒以上ずれると、ちらつきが視認される。
そこで、本実施例では、バックライト制御値決定部１０８は、シーンの切り替わり後に、フレーム間のブランキング期間中にちらつきを低減するバックライト制御値ｂｌ＿ｇｒを決定する。そして、決定されたバックライト制御値ｂｌ＿ｇｒがシーンの切り替わり後に適用されることで、γカーブの適用遅れによるちらつきが低減される。
【００５４】
バックライト制御値決定部１０８の処理フローを図９に示す。
【００５５】
まず、バックライト制御値決定部１０８が、シーンチェンジ検出情報Ｓｃが０か否かを判断する（Ｓ３０１）。シーンチェンジ検出情報Ｓｃ＝０の場合、Ｓ３０２へ処理が進められ、シーンチェンジ検出情報Ｓｃ＝１の場合、Ｓ３０４へ処理が進められる。
【００５６】
Ｓ３０２では、バックライト制御値決定部１０８が、バックライト制御値ｂｌ＿ｇを算出する。具体的には、バックライト制御値決定部１０８は、全体輝度ヒストグラムＨａから暗部面積Ｓｄを算出する。そして、バックライト制御値決定部１０８は、図１０に示す変換特性に基づいて、暗部面積Ｓｄからバックライト制御値ｂｌ＿ｇを算出する。バックライト制御値決定部１０８は、算出したバックライト制御値ｂｌ＿ｇをバックライト制御部１０９へ出力する。
【００５７】
暗部面積Ｓｄは、以下の式６を用いて算出される。暗部面積Ｓｄは、画像中の暗い領域の面積を表す。式６において、Ｈｄは、全体輝度ヒストグラムＨａにおける黒レベル閾値ｔｈ＿ｂより小さい階調値の度数（画素数）の総和である。Ｈｓは、全体輝度ヒストグラムＨａにおける度数の総和（画像の総画素数）である。黒レベル閾値ｔｈ＿ｂは予め定め
られた値であってもよいし、任意に調整可能な値であってもよい。
Ｓｄ＝Ｈｄ／Ｈｓ  ・・・（式６）
【００５８】
図１０に示す変換特性は、以下の式７によって表わされる。本実施例では、暗い領域の面積が大きいほど低く、暗い領域の面積が小さいほど高い目標輝度を決定する。具体的には、暗部面積Ｓｄが大きいほど小さく、暗部面積Ｓｄが小さいほど大きいバックライト制御値ｂｌ＿ｇが決定される。式７において、ｔｈ＿ｓｄ１とｔｈ＿ｓｄ２は調整用の閾値、ｇ＿ｍｉｎはバックライト制御値ｂｌ＿ｇの最小値、ｇ＿ｍａｘはバックライト制御値ｂｌ＿ｇの最大値を示す。閾値ｔｈ＿ｓｄ１、閾値ｔｈ＿ｓｄ２、バックライト制御値ｇ＿ｍｉｎ、及び、バックライト制御値ｇ＿ｍａｘは、固定値であってもよいし、任意に調整可能な値であってもよい。
Ｓｄ＜ｔｈ＿ｓｄ１の場合：ｂｌ＿ｇ＝ｇ＿ｍａｘ
Ｓｄ≧ｔｈ＿ｓｄ１かつａ＜ｔｈ＿ｓｄ２の場合：
ｂｌ＿ｇ＝（ｇ＿ｍｉｎ−ｇ＿ｍａｘ）×（Ｓｄ−ｔｈ＿ｓｄ１）
÷（ｔｈ＿ｓｄ２−ｔｈ＿ｓｄ１）＋ｇ＿ｍａｘ
Ｓｄ≧ｔｈ＿ｓｄ２の場合：ｂｌ＿ｇ＝ｇ＿ｍｉｎ
・・・（式７）
【００５９】
Ｓ３０２の次に、バックライト制御値決定部１０８が、ｂｌ＿ｇ＿ｏｌｄの値をｂｌ＿ｇの値に更新する（Ｓ３０３）。
【００６０】
Ｓ３０４では、バックライト制御値決定部１０８が、バックライト制御値ｂｌ＿ｇｒを算出する。具体的には、バックライト制御値決定部１０８は、図１１に示す変換特性に基づいて、特徴量変化値ｓ＿ｄｉｆｆから乗算係数ｒａｔｅを算出する。そして、バックライト制御値決定部１０８は、乗算係数ｒａｔｅとバックライト制御値ｂｌ＿ｇ＿ｏｌｄに基づいて、バックライト制御値ｂｌ＿ｇｒを算出する。バックライト制御値決定部１０８は、算出したバックライト制御値ｂｌ＿ｇｒをバックライト制御部１０９へ出力する。その後、Ｓ３０２に処理が進められる。
【００６１】
図１１に示す変換特性は、以下の式８によって表わされる。式８において、ｔｈ＿ｓ＿ｄｉｆｆ１とｔｈ＿ｓ＿ｄｉｆｆ２は調整用の閾値、ｒａｔｅ＿ｍｉｎは乗算係数ｒａｔｅの最小値、ｒａｔｅ＿ｍａｘは乗算係数ｒａｔｅの最大値を示す。閾値ｔｈ＿ｓ＿ｄｉｆｆ１、閾値ｔｈ＿ｓ＿ｄｉｆｆ２、乗算係数ｒａｔｅ＿ｍｉｎ、及び、乗算係数ｒａｔｅ＿ｍａｘは、固定値であってもよいし、任意に調整可能な値であってもよい。但し、閾値ｔｈ＿ｓ＿ｄｉｆｆ１、閾値ｔｈ＿ｓ＿ｄｉｆｆ２、乗算係数ｒａｔｅ＿ｍｉｎ、及び、乗算係数ｒａｔｅ＿ｍａｘは、ｓ＿ｄｉｆｆ＝０のときにｒａｔｅ＝１となるように設定される。
ｓ＿ｄｉｆｆ＜ｔｈ＿ｓ＿ｄｉｆｆ１の場合：ｒａｔｅ＝ｒａｔｅ＿ｍａｘ
ｓ＿ｄｉｆｆ≧ｔｈ＿ｓ＿ｄｉｆｆ１かつ
ｓ＿ｄｉｆｆ＜ｔｈ＿ｓ＿ｄｉｆｆ２の場合：
ｒａｔｅ＝（ｒａｔｅ＿ｍｉｎ−ｒａｔｅ＿ｍａｘ）
×（ｓ＿ｄｉｆｆ−ｔｈ＿ｓ＿ｄｉｆｆ１）
÷（ｔｈ＿ｓ＿ｄｉｆｆ２−ｔｈ＿ｓ＿ｄｉｆｆ１）
＋ｒａｔｅ＿ｍａｘ
ｓ＿ｄｉｆｆ≧ｔｈ＿ｓ＿ｄｉｆｆ２の場合：ｒａｔｅ＝ｒａｔｅ＿ｍｉｎ
・・・（式８）
【００６２】
バックライト制御値ｂｌ＿ｇｒは、以下の式９に示すように、バックライト制御値ｂｌ＿ｇ＿ｏｌｄに乗算係数ｒａｔｅを乗算することによって算出される。
ｂｌ＿ｇｒ＝ｂｌ＿ｇ＿ｏｌｄ×ｒａｔｅ  ・・・（式９）
【００６３】
特徴量変化値ｓ＿ｄｉｆｆが０に近い場合には、シーンの切り替わりによる輝度（特徴量）の変化は小さく、γカーブもあまり変わらないと考えられる。そのため、１に近い値を乗算係数ｒａｔｅとして算出し、バックライト制御値ｂｌ＿ｇ＿ｏｌｄに近い値をバックライト制御値ｂｌ＿ｇｒとして算出する。
【００６４】
特徴量変化値ｓ＿ｄｉｆｆが大きい場合には、暗いシーンから明るいシーンへの切り替わりが発生しており、γカーブが大きく変わると考えられる。具体的には、暗部の階調性を高めるカーブから明部の階調性を高めるカーブへγカーブが変化する。暗部の階調性を高めると画像データの輝度は増加し、明部の階調性を高めると画像データの輝度は低下する。そのため、暗いシーンから明るいシーンへの切り替わりが発生すると、γカーブの適用の遅れにより、シーンの切り替わり後のフレーム（明るいシーンのフレーム）に対して暗部の階調性を高めるγカーブが適用されてしまう。その結果、一時的な表示輝度（画面上の輝度）の増加が生じ、このような一時的な表示輝度の増加がちらつきとして知覚されてしまう。
【００６５】
そこで、特徴量変化値ｓ＿ｄｉｆｆが大きい場合には、１より小さい値を乗算係数ｒａｔｅとして算出し、バックライト制御値ｂｌ＿ｇ＿ｏｌｄより小さい値をバックライト制御値ｂｌ＿ｇｒとして算出する。その結果、バックライトモジュール１１０の発光輝度が低減され、上述した表示輝度の増加を抑制することができ、ちらつきを知覚され難くすることができる。
また、特徴量変化値ｓ＿ｄｉｆｆが大きいほど、シーンの切り替わりによる輝度（特徴量）の変化も大きく、上述した表示輝度の増加も大きいと考えられる。そのため、特徴量変化値ｓ＿ｄｉｆｆが大きいほど小さい乗算係数ｒａｔｅを算出し、特徴量変化値ｓ＿ｄｉｆｆが大きいほど小さいバックライト制御値ｂｌ＿ｇｒを算出する。このような処理により、上述した表示輝度の増加を精度良く低減することができ、ちらつきをより知覚され難くすることができる。
【００６６】
特徴量変化値ｓ＿ｄｉｆｆが小さい場合には、明るいシーンから暗いシーンへの切り替わりが発生しており、γカーブが大きく変わると考えられる。具体的には、明部の階調性を高めるカーブから暗部の階調性を高めるカーブへγカーブが変化する。そのため、明るいシーンから暗いシーンへの切り替わりが発生すると、γカーブの適用の遅れにより、シーンの切り替わり後のフレーム（暗いシーンのフレーム）に対して明部の階調性を高めるγカーブが適用されてしまう。その結果、一時的な表示輝度（画面上の輝度）の低下が生じ、このような一時的な表示輝度の低下がちらつきとして知覚されてしまう。
【００６７】
そこで、特徴量変化値ｓ＿ｄｉｆｆが小さい場合には、１より大きい値を乗算係数ｒａｔｅとして算出し、バックライト制御値ｂｌ＿ｇ＿ｏｌｄより大きい値をバックライト制御値ｂｌ＿ｇｒとして算出する。その結果、バックライトモジュール１１０の発光輝度が高められ、上述した表示輝度の低下を抑制することができ、ちらつきを知覚され難くすることができる。
また、特徴量変化値ｓ＿ｄｉｆｆが小さいほど、シーンの切り替わりによる輝度（特徴量）の変化も大きく、上述した表示輝度の低下も大きいと考えられる。そのため、特徴量変化値ｓ＿ｄｉｆｆが小さいほど大きい乗算係数ｒａｔｅを算出し、特徴量変化値ｓ＿ｄ
ｉｆｆが小さいほど大きいバックライト制御値ｂｌ＿ｇｒを算出する。このような処理により、上述した表示輝度の低下を精度良く低減することができ、ちらつきをより知覚され難くすることができる。
【００６８】
バックライト制御部１０９は、バックライトモジュール１１０の発光輝度を、バックライト制御値決定部１０８で決定された目標輝度に制御する。具体的には、バックライト制御部１０９は、バックライト制御値決定部１０８で決定されたバックライト制御値をバックライトモジュール１１０へ出力する。換言すれば、バックライト制御部１０９は、バックライト制御値決定部１０８で決定されたバックライト制御値でバックライトモジュール１１０を駆動する。
本実施例では、表示制御の周波数（フレームレート）よりも高い周波数で、バックライト制御値を決定し、発光輝度を制御する処理（バックライト制御）が行われる。具体的には、１２０Ｈｚでバックライト制御が行われる。なお、バックライト制御の周波数は、１２０Ｈｚより低くても高くてもよい。バックライト制御は、表示制御と同じ周波数且つ異なる位相で行われてもよい。
【００６９】
バックライト制御の一例を図１２に示す。
本実施例では、バックライト制御の周波数は１２０Ｈｚであり、表示制御の周波数は６０Ｈｚであるため、図１２に示すように１フレーム期間中に２回バックライト制御値が設定される。
図１２において、フレームＮからフレームＮ＋２は明るいシーンのフレームであり、フレームＮ＋３からフレームＮ＋６は暗いシーンのフレームである。
図１２に示すように、本実施例では、フレーム間のブランキング期間にバックライト制御値１が設定され、フレームの期間中にバックライト制御値２が設定される。
【００７０】
フレームＮ＋２に対しては、フレームＮのＡＰＬ値とフレームＮ＋１のＡＰＬ値を用いてシーンが切り替わったか否かが判断される。フレームＮとフレームＮ＋１は同じシーンのフレームであるため、シーンは切り替わっていないと判断される。フレームＮ＋１とフレームＮ＋２のブランキング期間では、フレームＮの特徴量を用いたＳ３０２の処理は完了しているが、フレームＮ＋１の特徴量を用いたＳ３０２（図９）の処理が完了していない。フレームＮ＋１の特徴量を用いたＳ３０２の処理は、上記の判断が行われ後に開始され、フレームＮ＋２の期間中に完了する。そのため、フレームＮ＋２に対しては、フレームＮの特徴量を用いてＳ３０２の処理を行うことにより決定されたバックライト制御値ｂｌ＿ｇがバックライト制御値１として設定される。また、フレームＮ＋１の特徴量を用いてＳ３０２の処理を行うことにより決定されたバックライト制御値ｂｌ＿ｇがバックライト制御値２として設定される。
【００７１】
フレームＮ＋３に対しては、フレームＮ＋１のＡＰＬ値とフレームＮ＋２のＡＰＬ値を用いてシーンが切り替わったか否かが判断される。フレームＮ＋１とフレームＮ＋２は同じシーンのフレームであるため、シーンは切り替わっていないと判断される。そのため、フレームＮ＋３に対しては、フレームＮ＋１の特徴量を用いてＳ３０２の処理を行うことにより決定されたバックライト制御値ｂｌ＿ｇがバックライト制御値１として設定される。また、フレームＮ＋２の特徴量を用いてＳ３０２の処理を行うことにより決定されたバックライト制御値ｂｌ＿ｇがバックライト制御値２として設定される。
なお、フレームＮ＋２とフレームＮ＋３の間でシーンの切り替わりが発生しているが、特徴量を取得した後でないとシーンの切り替わりを検出できないため、フレームＮ＋３に対してはシーンが切り替わったと判断することができない。
【００７２】
フレームＮ＋４に対しては、フレームＮ＋２のＡＰＬ値とフレームＮ＋３のＡＰＬ値を用いてシーンが切り替わったか否かが判断される。フレームＮ＋２とフレームＮ＋３の間
でシーンの切り替わりが発生しているため、シーンが切り替わったと判断される。そのため、フレームＮ＋４に対しては、Ｓ３０４の処理を行うことにより決定されたバックライト制御値ｂｌ＿ｇｒがバックライト制御値１として設定される。ここでは、フレームＮ＋３に対して決定されたバックライト制御値２が、バックライト制御値ｂｌ＿ｇ＿ｏｌｄとして用いられる。そして、Ｓ３０４の処理により、バックライト制御値ｂｌ＿ｇ＿ｏｌｄよりも大きいバックライト制御値ｂｌ＿ｇｒが算出され、バックライトモジュール１１０の発光輝度が高められる。また、上記の判断が行われた後に、フレームＮ＋３の特徴量を用いたＳ３０２の処理が行われる。そして、フレームＮ＋３の特徴量を用いてＳ３０２の処理を行うことにより決定されたバックライト制御値ｂｌ＿ｇがバックライト制御値２として設定される。
なお、フレームＮ＋３の特徴量から決定されたバックライト制御値ｂｌ＿ｇがバックライト制御値２として設定されずに、バックライト制御値１として設定されたバックライト制御値ｂｌ＿ｇｒがバックライト制御値２として設定されてもよい。
【００７３】
フレームＮ＋４に対しては、フレームＮ＋２の特徴量から決定されたγカーブが適用される。フレームＮ＋４とフレームＮ＋２ではシーンが異なるため、フレームＮ＋４に対して、所望のカーブとは大きく異なるγカーブが適用され、ちらつきが発生することがある。本実施例では、バックライト制御値ｂｌ＿ｇｒをバックライト制御値１として設定することで、γカーブの適用の遅れによるちらつきを低減することができる。
【００７４】
フレームＮ＋５に対しては、フレームＮ＋３のＡＰＬ値とフレームＮ＋４のＡＰＬ値を用いてシーンが切り替わったか否かが判断される。フレームＮ＋３とフレームＮ＋４は同じシーンのフレームであるため、シーンは切り替わっていないと判断される。そのため、フレームＮ＋５に対しては、フレームＮ＋３の特徴量を用いてＳ３０２の処理を行うことにより決定されたバックライト制御値ｂｌ＿ｇがバックライト制御値１として設定される。また、フレームＮ＋４の特徴量を用いてＳ３０２の処理を行うことにより決定されたバックライト制御値ｂｌ＿ｇがバックライト制御値２として設定される。
【００７５】
フレームＮ＋５に対しては、フレームＮ＋３の特徴量から決定されたγカーブが適用される。フレームＮ＋５とフレームＮ＋３は同じシーンのフレームであるため、γカーブの適用が遅れてもちらつきは発生しない。フレームＮ＋５に対してバックライト制御値ｂｌ＿ｇｒを用いなくても、ちらつきは発生しない。
【００７６】
バックライトモジュール１１０は、液晶パネル１０５の背面に光を照射する発光部である。バックライトモジュール１１０の発光輝度は、バックライト制御部１０９によって制御される。バックライトモジュール１１０の発光素子としては、ＬＥＤ素子、冷陰極管、有機ＥＬ素子、などが使用できる。
【００７７】
以上述べたように、本実施例によれば、シーンの切り替わりが検出された場合に、シーンの切り替わり前のフレームの特徴量と、シーンの切り替わり後のフレームの特徴量とに基づいて、バックライトモジュール（発光部）の発光輝度が制御される。特徴量に基づく階調補正処理の適用の遅れによってシーンの切り替わりの際に発生する画面のちらつきを低減することが可能となる。また、本実施例では、シーンの切り替わり後のフレームに対して当該フレームの特徴量に基づく階調補正処理を施すためのフレームバッファなどは使用されないため、少ない遅延時間で画像データを表示することができる。
【００７８】
なお、本実施例では、シーンの切り替わりが検出された場合に、バックライト制御値ｂｌ＿ｇ＿ｏｌｄを補正することによりバックライト制御値ｂｌ＿ｇｒを決定する例を説明したが、バックライト制御値ｂｌ＿ｇｒの決定方法はこれに限らない。シーンの切り替わり前のフレームの特徴量と、シーンの切り替わり後のフレームの特徴量とに基づいて決定
されれば、バックライト制御値ｂｌ＿ｇｒはどのように決定されてもよい。
【００７９】
なお、シーンが切り替わるときの輝度（特徴量）の時間変化の度合いは判断されなくてもよい。例えば、輝度が増加するシーンの切り替わりが検出された場合に、発光部の発光輝度が所定値だけ低減され、輝度が低下するシーンの切り替わりが検出された場合に、発光部の発光輝度が所定値だけ高められてもよい。即ち、発光輝度の調整量は、シーンが切り替わるときの輝度の時間変化の度合いに基づいて決定されるのではなく、予め定められていてもよい。
【００８０】
なお、本実施例では、画像データの輝度が高いときに高階調側の階調性を高め、画像データの輝度が低いときに低階調側の階調性を高める階調補正処理の例を説明したが、階調補正処理はこれに限らない。例えば、画像データの輝度が高いときに低階調側の階調性を高め、画像データの輝度が低いときに高階調側の階調性を高める階調補正処理が行われてもよい。その場合には、輝度が増加するシーンの切り替わりが検出された場合に、発光部の発光輝度が高められ、輝度が低下するシーンの切り替わりが検出された場合に、発光部の発光輝度が低減されればよい。
【００８１】
なお、シーンの切り替わりを検出する際に使用される特徴量、階調補正処理を行う際に使用される特徴量、バックライトモジュールの目標輝度を決定する際に使用される特徴量、などは、上述した特徴量に限らない。例えば、画像データの階調値の最頻値、画像データの全体輝度ヒストグラム、などに基づいてシーンの切り替わりが検出されてもよい。フレーム間の最大階調値の差が特徴量変化値ｓ＿ｄｉｆｆとして算出されてもよい。画像データのＡＰＬ値、画像データの最大階調値、などに基づいてバックライト制御値ｂｌ＿ｇが決定されてもよい。
【００８２】
＜実施例２＞
以下、本発明の実施例２に係る表示装置及びその制御方法について説明する。本実施例では、分割領域毎に階調補正処理を行い、分割領域毎に発光部（バックライトモジュール）の発光輝度を制御する例を説明する。
【００８３】
図１３は、本実施例に係る表示装置の構成を示すブロック図である。図１３に示すように、本実施例に係る表示装置２００は、特徴量取得部２０１、分割γカーブ決定部２０２、分割γ補正部２０３、液晶駆動回路部１０４、液晶パネル１０５、シーンチェンジ検出部１０６、分割特徴量変化判断部２０７、分割バックライト制御値決定部２０８、分割バックライト制御部２０９、バックライトモジュール２１０、などを有する。
なお、実施例１（図１）と同じ機能部には同じ符号を付し、その説明は省略する。
【００８４】
特徴量取得部２０１は、入力画像データの輝度に関する特徴量を取得する。
図１４は、特徴量取得部２０１の構成を示すブロック図である。図１４に示すように、特徴量取得部２０１は、分割輝度ヒストグラム取得部２１、注目階調値決定部１２、ＡＰＬ値取得部１４、分割ＡＰＬ値取得部２２、などを有する。
なお、実施例１（図２）と同じ機能部には同じ符号を付し、その説明は省略する。
【００８５】
分割輝度ヒストグラム取得部２１は、実施例１の分割輝度ヒストグラム取得部１１と同様に、分割領域毎の輝度ヒストグラム（分割輝度ヒストグラム）を取得する。具体的には、実施例１と同様に、画面の領域が、３行×４列の計１５個の分割領域ｄ（０）〜ｄ（１４）から構成されているものとする。そして、分割輝度ヒストグラム取得部２１は、入力画像データＩを、１５個の分割領域ｄ（０）〜ｄ（１４）に対応する１５個の分割画像データに分割する。その後、分割輝度ヒストグラム取得部２１は、分割画像データ毎に、その分割画像データから、当該分割画像データの輝度ヒストグラム（分割輝度ヒストグラム
）Ｈｄ（ｉ）を取得する。そのため、本実施例では、実施例１と同様に、１５個の分割領域ｄ（０）〜ｄ（１４）に対応する１５個の分割輝度ヒストグラムＨｄ（０）〜Ｈｄ（１４）が取得される。
但し、分割輝度ヒストグラム取得部２１は、実施例１の分割輝度ヒストグラム取得部１１とは異なり、取得した分割輝度ヒストグラムＨｄ（０）〜Ｈｄ（１４）を、注目階調値決定部１２だけでなく、分割バックライト制御値決定部２０８にも出力する。
【００８６】
分割ＡＰＬ値取得部２２は、複数の分割領域のそれぞれについて、その分割領域に表示すべき入力画像データのＡＰＬ値ａｄ（ｉ）を分割ＡＰＬ値として取得する。具体的には、分割ＡＰＬ値取得部２２は、入力画像データＩを、１５個の分割領域ｄ（０）〜ｄ（１４）に対応する１５個の分割画像データに分割する。そして、分割ＡＰＬ値取得部２２は、分割画像データ毎に、その分割画像データから、当該分割画像データのＡＰＬ値（分割ＡＰＬ値）ａｄ（ｉ）を取得する。そのため、本実施例では、１５個の分割領域ｄ（０）〜ｄ（１４）に対応する１５個の分割ＡＰＬ値ａｄ（０）〜ａｄ（１４）が取得される。分割ＡＰＬ値は、対応する分割画像データの各画素の輝度値の総和を、当該分割画像データの総画素数で除算した値である。本実施例では、分割ＡＰＬ値が８ビット精度で算出されるものとする。即ち、本実施例では、分割ＡＰＬ値が０以上２５５以下の整数値を取り得るものとする。
分割ＡＰＬ値取得部２２は、取得した分割ＡＰＬ値ａｄを、分割特徴量変化判断部２０７に出力する。
なお、分割ＡＰＬ値の算出精度は、８ビット精度より高くても低くてもよい。
【００８７】
分割γカーブ決定部２０２と分割γ補正部２０３により、入力画像データに対し、分割領域毎の特徴量（特徴量取得部２０１で取得された特徴量）に基づく階調補正処理が施される。
【００８８】
分割γカーブ決定部２０２は、注目階調値検出部１２で決定された暗部注目階調値Ｎｂ（０）〜Ｎｂ（１４）と明部注目階調値Ｎｗ（０）〜Ｎｗ（１４）を用いて、分割領域毎のγカーブ（分割γカーブ）を決定する。
γカーブ決定部１０２では暗部係数ｃｏｅｂと明部係数ｃｏｅｗを用いてγカーブが決定された。分割γカーブ決定部２０２では、分割領域毎に、その分割領域の暗部注目階調値Ｎｂ（ｉ）と明部注目階調値Ｎｗ（ｉ）を用いて、当該分割領域の分割γカーブが決定される。
分割γカーブの大まかな決定方法は実施例１のγカーブ決定部１０２によるγカーブの決定方法と同様である。但し、分割領域ｄ（ｉ）の分割γカーブを決定する際には、暗部係数のｃｏｅｂの代わりに暗部注目階調値Ｎｂ（ｉ）が、明部係数ｃｏｅｗの代わりに明部注目階調値Ｎｗ（ｉ）が使用される。
分割γカーブ決定部２０２は、分割領域毎の分割γカーブを、分割γ補正部２０３に出力する。
分割領域毎の特徴量を使用することで、分割領域毎の分割γカーブを決定することができ、入力画像データの各画素により好ましい（より高精度な）γ補正を施すことができる。
【００８９】
分割γ補正部２０３は、分割γカーブ決定部２０２で決定された分割領域毎の分割γカーブを用いて、入力画像データにγ補正を施す。そして、分割γ補正部２０３は、γ補正後の画像データを出力する。
【００９０】
分割γ補正部２０３では、入力画像データの画素毎に、第１の画素値と第２の画素値を合成することにより、γ補正後の画素値（最終画素値）を算出する。
分割γ補正部２０３は、処理対象の画素が属する分割領域（第１の領域）の分割γカー
ブを用いたγ補正を処理対象の画素に施すことによって、処理対象の画素に対する第１の画素値を算出する。
また、分割γ補正部２０３は、第１の領域に隣接する分割領域（第２の領域）の分割γカーブを用いたγ補正を処理対象の画素に施すことによって、処理対象の画素に対する第２の画素値を算出する。
そして、分割γ補正部２０３は、処理対象の画素に対して算出された第１の画素値と第２の画素値を、処理対象の画素と、第１の領域及び第２の領域との位置関係に基づく重みで合成することにより、処理対象の画素の最終画素値を算出する。
【００９１】
なお、処理対象の画素に対して算出された第１の画素値が、処理対象の画素の最終画素値として出力されてもよい。しかしながら、そのような構成の場合、隣接する分割領域間で最終画素値が不連続に変化し、隣接する分割領域間の境界線が発生してしまうことがある。本実施例では、上述した重み付け合成を行うことにより、隣接する分割領域間で最終画素値が不連続に変化することを抑制し、隣接する分割領域間で境界線が発生することを抑制することができる。第１の領域のγカーブと、第２の領域のγカーブとを合成した合成γカーブを決定し、合成γカーブを用いたγ補正によって最終画素値が算出されてもよい。そのような構成であっても、上記境界線の発生を抑制することができる。
なお、第２の領域は１つであってもよいし複数であってもよい。本実施例では、第１の領域に隣接する全ての領域を第２の領域とする。例えば、第１の領域が分割領域ｄ（０）のときに、３つの分割領域ｄ（１），ｄ（５），ｄ（６）が第２の領域として用いられる。また、分割領域ｄ（６）が第１の領域のときには、８つの分割領域ｄ（０），ｄ（１），ｄ（２），ｄ（５），ｄ（７），ｄ（１０），ｄ（１１），ｄ（１２）が第２の領域として用いられる。
【００９２】
以下、分割γ補正部２０３の処理の具体例について、図１５を用いて説明する。
図１５において、符号Ｐは処理対象の画素を示す。画素Ｐは分割領域ｄ（０）に属すため、画素Ｐの画素値は、図１５に示すように、分割領域ｄ（０）と、その周囲の分割領域ｄ（１），ｄ（５），ｄ（６）との計４つの分割領域に対応する４つの分割γカーブを用いて補正される。具体的には、分割領域ｄ（０）の分割γカーブを用いて、画素値（第１の値）ＯＰ０が算出され、分割領域ｄ（１）の分割γカーブを用いて、画素値（第２の値）ＯＰ１が算出される。同様に、分割領域ｄ（５）の分割γカーブを用いて、画素値（第２の値）ＯＰ５が算出され、分割領域ｄ（６）の分割γカーブを用いて、画素値（第２の値）ＯＰ６が算出される。そして、画素値ＯＰ０，ＯＰ１，ＯＰ５，ＯＰ６を重み付け合成することにより、最終画素値ＯＰが算出される。本実施例では、第１の領域の中心座標から処理対象の画素の位置までの水平方向の距離ｘと垂直方向の距離ｙに基づく重み（合成率）で重み付け合成が行われる。ここでは、分割領域ｄ（０）の中心座標から画素Ｐの位置までの水平方向の距離ｘがｘ１であり、垂直方向の距離ｙがｙ１であるものとする。そして、距離ｘ１に対応する重みが０．７であり、距離ｙ１に対応する重みが０．６であるものとする。画素Ｐの最終画素値ＯＰの算出式は、以下の式１０で表される。
ＯＰ＝０．６×（０．７×ＯＰ０＋（１−０．７）×ＯＰ１）
＋（１−０．６）×（０．７×ＯＰ５＋（１−０．７）×ＯＰ６）
・・・（式１０）
上述した重みは、例えば、距離ｘ，ｙと重みの対応関係を示すテーブルや関数から決定される。
【００９３】
分割特徴量変化判断部２０７、分割バックライト制御値決定部２０８、及び、分割バックライト制御部２０９により、バックライトモジュール２１０の発光輝度が制御される。本実施例では、シーンチェンジ検出部１０６でシーンの切り替わりが検出された場合に、分割領域毎に、その分割領域における発光輝度が制御される。分割領域における発光輝度
は、当該分割領域におけるシーンの切り替わり前のフレームの特徴量と、当該分割領域におけるシーンの切り替わり後のフレームの特徴量とに基づいて、制御される。それにより、シーンの切り替わりの際に、γカーブの適用の遅れによって生じるちらつきを低減することができる。
【００９４】
分割特徴量変化判断部２０７は、シーンチェンジ検出部１０６でシーンの切り替わりが検出された場合に、分割領域毎に、シーンが切り替わるときの特徴量の時間変化の仕方と、シーンが切り替わるときの特徴量の時間変化の度合いとを判断する。分割領域における特徴量の時間変化の仕方と度合いは、当該分割領域におけるシーンの切り替わり前のフレームの特徴量と、当該分割領域におけるシーンの切り替わり後のフレームの特徴量に基づいて判断される。
具体的には、分割特徴量変化判断部２０７は、シーンチェンジ検出部１０６からシーンチェンジ検出情報Ｓｃ＝１が入力された場合に、分割領域毎に、分割特徴量変化値ｓ＿ｄｉｆｆ＿ｄ（ｉ）を算出する。分割特徴量変化値ｓ＿ｄｉｆｆ＿ｄ（ｉ）は、分割ＡＰＬ値取得部２２で取得された分割ＡＰＬ値ａｄ（ｉ）、１フレーム前に取得された分割ＡＰＬ値ａｄ＿ｏｌｄ（ｉ）、及び、１フレーム前に決定された暗部注目階調値Ｎｂ＿ｏｌｄ（ｉ）と明部注目階調値Ｎｗ＿ｏｌｄ（ｉ）に基づいて算出される。そして、分割特徴量変化判断部２０７は、分割領域毎の分割特徴量変化値ｓ＿ｄｉｆｆ＿ｄ（ｉ）を分割バックライト制御値決定部２０８に出力する。分割特徴量変化値ｓ＿ｄｉｆｆ＿ｄ（ｉ）は、シーンが切り替わるときの分割領域ｄ（ｉ）における特徴量の時間変化の仕方と度合いを示す値である。分割特徴量変化値ｓ＿ｄｉｆｆ＿ｄ（ｉ）は、シーンの切り替わりの際に分割領域ｄ（ｉ）に生じるちらつきの度合いを示す値でもある。
【００９５】
実施例１の特徴量変化判断部１０７では、ＡＰＬ値ａ、ＡＰＬ値ａ＿ｏｌｄ、暗部係数ｃｏｅｂ＿ｏｌｄ、及び、明部係数ｃｏｅｗ＿ｏｌｄを用いて、特徴量変化値ｓ＿ｄｉｆｆが算出される。即ち、特徴量変化判断部１０７では、画像全体の特徴量から特徴量変化値ｓ＿ｄｉｆｆが算出される。一方、上述したように、本実施例の分割特徴量変化判断部２０７では、分割領域毎に、分割特徴量変化値ｓ＿ｄｉｆｆ＿ｄ（ｉ）が算出される。
それにより、シーンの切り替わりが発生した際に、γカーブの適用の遅れによって生じるちらつきが大きいと考えられる分割領域に対してのみ、ちらつきを低減するバックライト制御値を適用することが可能となる。即ち、分割領域毎にγカーブが決定される構成において、γカーブの適用の遅れによって生じるちらつきを高精度に低減することができる。
【００９６】
分割特徴量変化値ｓ＿ｄｉｆｆ＿ｄ（ｉ）の大まかな算出方法は、実施例１の特徴量変化判断部１０７による特徴量変化値ｓ＿ｄｉｆｆの算出方法と同様である。但し、分割特徴量変化値ｓ＿ｄｉｆｆ＿ｄ（ｉ）を決定する際には、ＡＰＬ値ａの代わりに分割ＡＰＬ値ａｄ（ｉ）が、ＡＰＬ値ａ＿ｏｌｄの代わりに分割ＡＰＬ値ａｄ＿ｏｌｄ（ｉ）が使用される。また、暗部係数ｃｏｅｂ＿ｏｌｄの代わりに暗部注目階調値Ｎｂ＿ｏｌｄ（ｉ）が、明部係数ｃｏｅｗ＿ｏｌｄの代わりに明部注目階調値Ｎｗ＿ｏｌｄ（ｉ）が使用される。
【００９７】
分割バックライト制御値決定部２０８は、分割領域毎に、バックライトモジュール２１０の目標輝度を示す分割バックライト制御値を決定する。
具体的には、分割バックライト制御値決定部２０８は、シーンチェンジ検出部１０６でシーンの切り替わりが検出されたか否かを、シーンチェンジ検出部１０６から出力されたシーンチェンジ検出情報Ｓｃに基づいて判断する。
そして、分割バックライト制御値決定部２０８は、シーンの切り替わりが検出されたときに、分割領域毎に、その分割領域に対して直前に決定した分割バックライト制御値を補正する。具体的には、分割特徴量変化判断部２０７から出力された分割特徴量変化値ｓ＿
ｄｉｆｆ＿ｄ（ｉ）に基づいて、分割領域ｄ（ｉ）に対して直前に決定した分割バックライト制御値を補正する処理が、各分割領域に対して行われる。即ち、分割領域毎に、その分割領域におけるシーンの切り替わり前のフレームの特徴量と、当該分割領域におけるシーンの切り替わり後のフレームの特徴量とに基づいて、当該分割領域に対して直前に決定した分割バックライト目標輝度が補正される。それにより、ちらつきを低減する分割領域毎の分割バックライト制御値ｂｌ＿ｇｒ＿ｄ（ｉ）が決定される。
残りの期間では、分割バックライト制御値決定部２０８は、分割領域毎に、分割バックライト制御値ｂｌ＿ｇ＿ｄ（ｉ）を決定する。具体的には、分割輝度ヒストグラム取得部２１で直前に取得された分割輝度ヒストグラムＨｄ（ｉ）に基づいて、分割領域ｄ（ｉ）の目標輝度を示す分割バックライト制御値ｂｌ＿ｇ＿ｄ（ｉ）を決定する処理が、各分割領域に対して行われる。
決定された分割バックライト制御値は分割バックライト制御部２０９に出力される。
【００９８】
分割バックライト制御値ｂｌ＿ｇ＿ｄ（ｉ）の大まかな決定方法は、実施例１のバックライト制御値決定部１０８によるバックライト制御値ｂｌ＿ｇの決定方法と同様である。但し、全体輝度ヒストグラムＨａの代わりに分割輝度ヒストグラムＨｄ（ｉ）が使用される。
具体的には、実施例１のバックライト制御値決定部１０８では、全体輝度ヒストグラムＨａから暗部面積Ｓｄが算出され、暗部面積Ｓｄからバックライト制御値ｂｌ＿ｇが算出された。本実施例の分割バックライト制御値決定部２０８では、分割領域毎に、その分割領域の分割輝度ヒストグラムＨｄ（ｉ）から、当該分割領域の暗部面積Ｓｄ＿ｄ（ｉ）が分割暗部面積として算出される。そして、分割領域毎に、その分割領域の分割暗部面積Ｓｄ＿ｄ（ｉ）から、当該分割領域の分割バックライト制御値ｂｌ＿ｇ＿ｄ（ｉ）が算出される。
【００９９】
また、分割バックライト制御値ｂｌ＿ｇｒ＿ｄ（ｉ）の大まかな決定方法は、実施例１のバックライト制御値決定部１０８によるバックライト制御値ｂｌ＿ｇｒの決定方法と同様である。但し、特徴量変化値ｓ＿ｄｉｆｆの代わりに分割特徴量変化値ｓ＿ｄｉｆｆ＿ｄ（ｉ）が使用される。
具体的には、分割領域毎に、その分割領域の分割特徴量変化値ｓ＿ｄｉｆｆ＿ｄ（ｉ）から分割乗算係数ｒａｔｅ＿ｄ（ｉ）が算出される。そして、分割領域毎に、その分割領域の直前に決定された分割バックライト制御値ｂｌ＿ｇ＿ｏｌｄ＿ｄ（ｉ）に、当該分割領域の分割乗算係数ｒａｔｅ＿ｄ（ｉ）が乗算される。それにより、分割領域毎の分割バックライト制御値ｂｌ＿ｇｒ＿ｄ（ｉ）が算出される。
【０１００】
分割領域毎にバックライト制御値を決定することにより、分割領域毎にバックライトモジュール２１０の発光輝度を制御することが可能となる。分割領域毎にバックライトモジュール２１０の発光輝度を制御することにより、シーンの切り替わりの際に発生するちらつきを高精度に低減することだけでなく、表示画像（画面に表示された画像）のコントラストをより向上することが可能となる。
【０１０１】
分割バックライト制御部２０９は、分割領域毎に、その分割領域におけるバックライトモジュール２１０の発光輝度を、当該分割領域に対して決定された目標輝度に制御する。具体的には、分割バックライト制御部２０９は、分割バックライト制御値決定部２０８で決定された分割バックライト制御値をバックライトモジュール２１０へ出力する。換言すれば、分割バックライト制御部２０９は、分割領域毎に、その分割領域に対して決定されたバックライト制御値で、当該分割領域の光源（バックライトモジュール２１０が有する光源）を駆動する。
【０１０２】
バックライトモジュール２１０は、液晶パネル１０５の背面に光を照射する発光部であ
る。バックライトモジュール２１０の発光輝度は分割領域毎に制御することができ、各分割領域の発光輝度は分割バックライト制御部２０９によって制御される。具体的には、バックライトモジュール２１０は、図１６に示すように、分割領域毎に、個別に発光輝度を制御可能な光源を有する。本実施例では、上述したように、分割領域毎に、その分割領域の光源が、当該分割領域の分割バックライト制御値で駆動される。図１６の例では、水平方向１０個×垂直方向６個の計６０個の光源が配置されており、１つの分割領域に水平方向２個×垂直方向２個の計４個の光源が配置されている。そして、分割領域３１に配置された４つの光源は、分割バックライト制御部２０９から出力された分割バックライト制御値ｂｌ＿ｇ＿ｄ（０）または分割バックライト制御値ｂｌ＿ｇｒ＿ｄ（０）で駆動される。分割領域３２に配置された４つの光源は、分割バックライト制御部２０９から出力された分割バックライト制御値ｂｌ＿ｇ＿ｄ（１）または分割バックライト制御値ｂｌ＿ｇｒ＿ｄ（１）で駆動される。光源は、１つ以上の発光素子を有する。
なお、１つの分割領域に配置される光源の数は４つより多くても少なくてもよい。１つの分割領域に１つの光源が配置されていてもよい。
【０１０３】
以上述べたように、本実施例によれば、分割領域毎に、その分割領域におけるシーンの切り替わり前のフレームの特徴量と、当該分割領域におけるシーンの切り替わり後のフレームの特徴量とに基づいて、当該分割領域における発光輝度が制御される。それにより、分割領域毎の特徴量に基づく階調補正処理を入力画像データに施す構成において、シーンの切り替わりの際に生じるちらつきを高精度に低減することができる。
【０１０４】
＜実施例３＞
以下、本発明の実施例３に係る表示装置及びその制御方法について説明する。本実施例では、階調補正処理後の画像データの特徴量から目標輝度（バックライト制御値）を決定する例を説明する。このような構成によれば、発光部（バックライトモジュール）の発光輝度をより高精度に制御することができ、表示画像のコントラストをより向上することができる。以後、階調補正処理後の画像データを処理画像データと記載する。
【０１０５】
図１７は、本実施例に係る表示装置の構成を示すブロック図である。図１７に示すように、本実施例に係る表示装置３００は、第１特徴量取得部３０１、分割γカーブ決定部２０２、分割γ補正部２０３、液晶駆動回路部１０４、液晶パネル１０５、シーンチェンジ検出部１０６、分割特徴量変化判断部２０７、第２特徴量取得部３０２、使用特徴量判断部３０３、分割バックライト制御値決定部３０４、分割バックライト制御部３０５、バックライトモジュール２１０、などを有する。
なお、実施例１，２（図１，１３）と同じ機能部には同じ符号を付し、その説明は省略する。
【０１０６】
第１特徴量取得部３０１は、特徴量取得部２０１と同じ機能を有する。即ち、第１特徴量取得部３０１では、階調補正処理が施される前の画像データの特徴量が取得される（第１取得）。階調補正処理が施される前の画像データの特徴量を第１特徴量と記載する。
【０１０７】
第２特徴量取得部３０２は、処理画像データの輝度に関する特徴量を取得する（第２取得）。処理画像データの特徴量を第２特徴量と記載する。具体的には、実施例１，２と同様に、画面の領域が、３行×４列の計１５個の分割領域ｄ（０）〜ｄ（１４）から構成されているものとする。そして、第２特徴量取得部３０２は、分割γ補正部２０３でγ補正が施された後の画像データ（処理画像データ）を、１５個の分割領域ｄ（０）〜ｄ（１４）に対応する１５個の分割画像データに分割する。その後、第２特徴量取得部３０２は、分割画像データ毎に、その分割画像データから、当該分割画像データの輝度ヒストグラム（分割輝度ヒストグラム）Ｈｄ２（ｉ）を取得する。分割輝度ヒストグラムＨｄ２（ｉ）は、実施例１の分割輝度ヒストグラム取得部１１による分割輝度ヒストグラムＨｄ（ｉ）
の取得方法と同様の方法で取得される。そのため、本実施例では、１５個の分割領域ｄ（０）〜ｄ（１４）に対応する１５個の分割輝度ヒストグラムＨｄ２（０）〜Ｈｄ２（１４）が取得される。
第２特徴量取得部３０２は、取得した分割輝度ヒストグラムＨｄ２（０）〜Ｈｄ２（１４）を、分割バックライト制御値決定部３０４に出力する。
【０１０８】
使用特徴量判断部３０３は、分割バックライト制御値を決定する際に第１特徴量を使用するか、第２特徴量を使用するかを判断する。そして、使用特徴量判断部３０３は、分割バックライト制御値を決定する際に第１特徴量を使用すると判断した場合に、使用特徴量判定フラグｆｌｇ＝１を出力する。また、使用特徴量判断部３０３は、分割バックライト制御値を決定する際に第２特徴量を使用すると判断した場合に、使用特徴量判定フラグｆｌｇ＝０を出力する。
使用特徴量判断部３０３は、シーンチェンジ検出部１０６から出力されたシーンチェンジ検出情報Ｓｃと、γカーブの適用が遅れるフレーム数Ｎｄとに基づいて、使用特徴量判定フラグｆｌｇの値を決定し、出力する。
使用特徴量判定フラグｆｌｇは、分割バックライト制御値決定部３０４に出力される。
なお、本実施例では、Ｎｄ＝２の場合の例を説明するが、Ｎｄの値は２より大きくてもよい。
【０１０９】
第２特徴量からバックライト制御値を決定すれば、処理画像データにより適したバックライト制御値を決定することができる。そのため、バックライトモジュールの発光輝度を高精度に制御することができ、表示画像のコントラストを向上させることができる。しかしながら、γカーブの適用の遅れだけでなく、バックライト制御値の適用にも遅れが生じるため、第２特徴量からバックライト制御値を決定すると、シーンの切り替わり後のちらつきがより目立ってしまう。
【０１１０】
図１８を用いて、バックライト制御値の適用の遅れについて説明する。
図１８において、フレームＮからフレームＮ＋２は明るいシーンのフレームであり、フレームＮ＋３からフレームＮ＋７は暗いシーンのフレームである。
上述したように、γカーブの適用は２フレーム遅れる。そのため、フレームＮ＋３に対しては、暗いシーンのフレームであるにも拘らず、明るいシーンのフレームＮ＋１の特徴量から決定されたγカーブが適用されてしまう。フレームＮ＋４に対しても、同様に、暗いシーンのフレームであるにも拘らず、明るいシーンのフレームＮ＋２の特徴量から決定されたγカーブが適用されてしまう。
同様に、バックライト制御値の適用も２フレーム遅れる。
【０１１１】
フレームＮ＋３、フレームＮ＋４の処理画像データは、暗いシーンのフレームであるにも拘らず、明るいシーンのフレームの特徴量を基に決定されたγカーブが適用された画像データである。
第２特徴量からバックライト制御値を決定する構成の場合、フレームＮ＋５に対しては、フレームＮ＋３の処理画像データの特徴量（第２特徴量）から決定されたバックライト制御値が適用される。フレームＮ＋６に対しては、フレームＮ＋４の特徴量から決定されたバックライト制御値が適用される。即ち、フレームＮ＋５，Ｎ＋６に対しては、不適切なγ補正が施された処理画像データの特徴量から決定された不適切なバックライト制御値が適用されてしまう。その結果、第２特徴量からバックライト制御値を決定する構成では、第１特徴量からバックライト制御値を決定する構成に比べ、表示輝度（画面上の輝度）が不適切な値となる期間の長さが増し、シーンの切り替わり後のちらつきがより目立ってしまう。
【０１１２】
このように、第２特徴量からバックライト制御値を決定する構成では、シーンの切り替
わり後のちらつきがより目立ってしまう。
そこで、本実施例では、シーンの切り替わりが検出されたときと、シーンの切り替わりが検出されたときからのｎフレーム分（Ｎｄフレーム分）の期間とで、第１特徴量が使用されるように、使用特徴量判定フラグｆｌｇを決定する。そして、残りの期間で、第２特徴量が使用されるように、使用特徴量判定フラグｆｌｇを決定する。
それにより、第２特徴量を用いることによるちらつきの発生を抑制することができるとともに、第２特徴量を用いることによる効果（コントラスト向上の効果）を得ることができる。
【０１１３】
使用特徴量判断部３０３の処理フローを図１９に示す。
【０１１４】
まず、シーンチェンジ検出部１０６から出力されたシーンチェンジ検出情報Ｓｃが０か否かが判断される（Ｓ４０１）。シーンチェンジ検出情報Ｓｃ＝０の場合はＳ４０２へ処理が進められ、シーンチェンジ検出情報Ｓｃ＝１の場合はＳ４０４へ処理が進められる。
【０１１５】
Ｓ４０４では、内部変数ｃｎｔの値として３（＝Ｎｄ＋１）が設定される。その後、Ｓ４０２へ処理が進められる。
【０１１６】
Ｓ４０２では、内部変数ｃｎｔが０か否かが判断される。内部変数ｃｎｔ＝０の場合はＳ４０３へ処理が進められ、内部変数ｃｎｔ＝０でない場合はＳ４０５へ処理が進められる。
【０１１７】
Ｓ４０３では、使用特徴量判定フラグｆｌｇ＝０が出力され、内部変数ｃｎｔの値が０に更新される。
【０１１８】
Ｓ４０５では、使用特徴量判定フラグｆｌｇ＝１が出力され、内部変数ｃｎｔの値から１が減算される。即ち、内部変数ｃｎｔの値が、内部変数ｃｎｔ−１の値に更新される。
【０１１９】
分割バックライト制御値決定部３０４は、分割領域毎の分割バックライト制御値を決定し、分割バックライト制御部３０５に出力する。
【０１２０】
具体的には、分割バックライト制御値決定部３０４は、シーンチェンジ検出部１０６でシーンの切り替わりが検出されたか否かを、シーンチェンジ検出部１０６から出力されたシーンチェンジ検出情報Ｓｃに基づいて判断する。
【０１２１】
そして、分割バックライト制御値決定部３０４は、シーンの切り替わりが検出されたときに、分割領域毎に、その分割領域に対して直前に決定した分割バックライト制御値を補正する。分割バックライト制御値の補正方法は実施例２と同じである。即ち、分割領域毎に、その分割領域におけるシーンの切り替わり前のフレームの第１特徴量と、当該分割領域におけるシーンの切り替わり後のフレームの第１特徴量とに基づいて、当該分割領域に対して直前に決定した分割バックライト制御値が補正される。それにより、γカーブの適用の遅れによって生じるちらつきを低減する分割領域毎の分割バックライト制御値ｂｌ＿ｇｒ＿ｄ（ｉ）が決定される。
【０１２２】
シーンの切り替わりが検出されたときからのＮｄフレーム分の期間では、分割バックライト制御値決定部３０４は、分割領域毎に、分割バックライト制御値ｂｌ＿ｇｒ＿ｄ２（ｉ）を決定する。分割バックライト制御値ｂｌ＿ｇｒ＿ｄ２（ｉ）は、直前に取得された第１特徴量である分割輝度ヒストグラムＨｄ（ｉ）に基づいて決定される。このように、第２特徴量を使用しないことにより、第２特徴量を用いることによるちらつきの発生を抑制することができる。
【０１２３】
残りの期間では、分割バックライト制御値決定部３０４は、分割領域毎に、直前に取得された第２特徴量である分割輝度ヒストグラムＨｄ２（ｉ）に基づいて、分割バックライト制御値ｂｌ＿ｇ＿ｄ（ｉ）を決定する。このように、第２特徴量を使用することにより、バックライトモジュールの発光輝度を高精度に制御することができる。
【０１２４】
分割バックライト制御値決定部３０４の処理フローを図２０に示す。
【０１２５】
まず、シーンチェンジ検出部１０６から出力されたシーンチェンジ検出情報Ｓｃが０か否かが判断される（Ｓ５０１）。シーンチェンジ検出情報Ｓｃ＝０の場合にはＳ５０２へ処理が進められ、シーンチェンジ検出情報Ｓｃ＝１の場合にはＳ５０４へ処理が進められる。
【０１２６】
Ｓ５０２では、使用特徴量判断部３０３から出力された使用特徴量判定フラグｆｌｇが０か否かが判断される。使用特徴量判定フラグｆｌｇ＝０の場合にはＳ５０３へ処理が進められ、使用特徴量判定フラグｆｌｇ＝１の場合にはＳ５０５へ処理が進められる。
【０１２７】
Ｓ５０３では、分割領域毎の分割バックライト制御値ｂｌ＿ｇ＿ｄ（ｉ）が決定される。分割バックライト制御値ｂｌ＿ｇ＿ｄ（ｉ）は、実施例２に係る分割バックライト制御値ｂｌ＿ｇ＿ｄ（ｉ）と同様の方法で決定される。但し、特徴量として、第２特徴量である分割輝度ヒストグラムＨｄ２（ｉ）が使用される。
【０１２８】
Ｓ５０４では、分割領域毎の分割バックライト制御値ｂｌ＿ｇｒ＿ｄ（ｉ）が決定される。その後、Ｓ５０２に処理が進められる。分割バックライト制御値ｂｌ＿ｇｒ＿ｄ（ｉ）は、実施例２に係る分割バックライト制御値ｂｌ＿ｇｒ＿ｄ（ｉ）と同様の方法で決定される。
【０１２９】
Ｓ５０５では、分割領域毎の分割バックライト制御値ｂｌ＿ｇｒ＿ｄ２（ｉ）が決定される。分割バックライト制御値ｂｌ＿ｇｒ＿ｄ２（ｉ）は、実施例２に係る分割バックライト制御値ｂｌ＿ｇ＿ｄ（ｉ）と同様の方法で決定されもよいが、本実施例では以下の方法で決定される。以下の方法で分割バックライト制御値ｂｌ＿ｇｒ＿ｄ２（ｉ）を決定することにより、処理画像データにより適した分割バックライト制御値ｂｌ＿ｇｒ＿ｄ２（ｉ）を得ることができる。
【０１３０】
Ｓ５０５では、まず、実施例２と同様の方法で、分割輝度ヒストグラムＨｄ（ｉ）から分割暗部面積Ｓｄ＿ｄ（ｉ）が算出される。
次に、算出した分割暗部面積Ｓｄ＿ｄ（ｉ）から、推定分割暗部面積Ｓｄ＿ｄ＿ｓ（ｉ）が算出される。
そして、実施例２（分割暗部面積Ｓｄ＿ｄ（ｉ）から分割バックライト制御値ｂｌ＿ｇｒ＿ｄ（ｉ）を決定する方法）と同様の方法で、推定分割暗部面積Ｓｄ＿ｄ＿ｓ（ｉ）から分割バックライト制御値ｂｌ＿ｇｒ＿ｄ２（ｉ）が決定される。
【０１３１】
推定分割暗部面積Ｓｄ＿ｄ＿ｓ（ｉ）は、以下の式１１を用いて、分割暗部面積Ｓｄ＿ｄ（ｉ）と暗部注目階調値Ｎｂ（ｉ）から算出される。
Ｓｄ＿ｄ＿ｓ（ｉ）＝Ｓｄ＿ｄ（ｉ）×Ｎｂ＿ｇ（ｉ）  ・・・（式１１）
【０１３２】
式１１の係数Ｎｂ＿ｇ（ｉ）は、図２２に示す変換特性に基づいて、暗部注目階調値Ｎｂ（ｉ）から決定される。
本実施例では、実施例１，２と同様に、暗部注目階調値Ｎｂ（ｉ）の値が大きいほど、暗部が沈められる（明部の階調性が高められる）ため、γ補正後によって暗部の面積が増える。そのため、暗部注目階調値Ｎｂ（ｉ）の値が大きいときに、暗部注目階調値Ｎｂ（ｉ）の値が小さいときよりもＳｄ＿ｄ＿ｓ（ｉ）が大きくなるように、係数Ｎｂ＿ｇ（ｉ）が決定される。
また、本実施例では、暗部注目階調値Ｎｂ（ｉ）の値が小さいほど、暗部が浮かされる（暗部の階調性が高められる）ため、γ補正後によって暗部の面積が低減する。そのため、暗部注目階調値Ｎｂ（ｉ）の値が小さいときに、暗部注目階調値Ｎｂ（ｉ）の値が大きいときよりもＳｄ＿ｄ＿ｓ（ｉ）が小さくなるように、係数Ｎｂ＿ｇ（ｉ）が決定される。
【０１３３】
図１２に示す変換特性は、以下の式１２によって表される。式１２において、ｔｈ＿ｎｂ１とｔｈ＿ｎｂ２は調整用の閾値、ｎｂ＿ｇ＿ｍｉｎは係数Ｎｂ＿ｇ（ｉ）の最小値、ｎｂ＿ｇ＿ｍａｘは係数Ｎｂ＿ｇ（ｉ）の最大値である。閾値ｔｈ＿ｎｂ１、閾値ｔｈ＿ｎｂ２、係数ｎｂ＿ｇ＿ｍｉｎ、及び、係数ｎｂ＿ｇ＿ｍａｘは、固定値であってもよいし、任意に調整可能な値であってもよい。
Ｎｂ（ｉ）＜ｔｈ＿ｎｂ１の場合：Ｎｂ＿ｇ（ｉ）＝ｎｂ＿ｇ＿ｍｉｎ
Ｎｂ（ｉ）≧ｔｈ＿ｎｂ１かつＮｂ（ｉ）＜ｔｈ＿ｎｂ２の場合：
Ｎｂ＿ｇ（ｉ）＝（ｎｂ＿ｇ＿ｍａｘ−ｎｂ＿ｇ＿ｍｉｎ）
×（Ｎｂ＿ｇ（ｉ）−ｔｈ＿ｎｂ１）
÷（ｔｈ＿ｎｂ２−ｔｈ＿ｎｂ１）＋ｎｂ＿ｇ＿ｍｉｎ
Ｎｂ（ｉ）≧ｔｈ＿ｎｂ２の場合：Ｎｂ＿ｇ（ｉ）＝ｎｂ＿ｇ＿ｍａｘ
・・・（式１２）
【０１３４】
分割バックライト制御部３０５は、分割バックライト制御部２０９と同様の処理を行う。即ち、分割バックライト制御部３０５は、分割領域毎に、その分割領域に対して決定されたバックライト制御値で、当該分割領域の光源（バックライトモジュール２１０が有する光源）を駆動する。但し、分割バックライト制御部３０５には、分割バックライト制御部２０９とは異なり、分割バックライト制御値ｂｌ＿ｇ＿ｄ（ｉ）、分割バックライト制御値ｂｌ＿ｇｒ＿ｄ（ｉ）、または、分割バックライト制御値ｂｌ＿ｇ＿ｄ２（ｉ）が入力される。
【０１３５】
本実施例に係るバックライト制御の一例を図２２に示す。
本実施例では、実施例１，２と同様に、バックライト制御の周波数は１２０Ｈｚであり、表示制御の周波数は６０Ｈｚである。そのため、図２２に示すように１フレーム期間中に２回バックライト制御値が設定される。
図２２において、フレームＮからフレームＮ＋２は明るいシーンのフレームであり、フレームＮ＋３からフレームＮ＋７は暗いシーンのフレームである。
図２２に示すように、本実施例では、フレーム間のブランキング期間にバックライト制御値１が設定され、フレームの期間中にバックライト制御値２が設定される。
【０１３６】
フレームＮ＋２に対しては、フレームＮのＡＰＬ値とフレームＮ＋１のＡＰＬ値を用いてシーンが切り替わったか否かが判断される。フレームＮとフレームＮ＋１は同じシーンのフレームであるため、シーンは切り替わっていないと判断される。また、使用特徴量判断部３０３からは、使用特徴量判定フラグｆｌｇ＝０が出力される。そのため、フレームＮ＋２に対しては、フレームＮの第２特徴量を用いてＳ５０３の処理を行うことにより決定された分割バックライト制御値ｂｌ＿ｇ＿ｄ（ｉ）がバックライト制御値１として設定される。また、フレームＮ＋１の第２特徴量を用いてＳ５０３の処理を行うことにより決定された分割バックライト制御値ｂｌ＿ｇ＿ｄ（ｉ）がバックライト制御値２として設定
される。
【０１３７】
フレームＮ＋３に対しては、フレームＮ＋１のＡＰＬ値とフレームＮ＋２のＡＰＬ値を用いてシーンが切り替わったか否かが判断される。フレームＮ＋１とフレームＮ＋２は同じシーンのフレームであるため、シーンは切り替わっていないと判断される。また、使用特徴量判断部３０３からは、使用特徴量判定フラグｆｌｇ＝０が出力される。そのため、フレームＮ＋３に対しては、フレームＮ＋１の第２特徴量を用いてＳ５０３の処理を行うことにより決定された分割バックライト制御値ｂｌ＿ｇ＿ｄ（ｉ）がバックライト制御値１として設定される。また、フレームＮ＋２の第２特徴量を用いてＳ５０３の処理を行うことにより決定された分割バックライト制御値ｂｌ＿ｇ＿ｄ（ｉ）がバックライト制御値２として設定される。
【０１３８】
フレームＮ＋４に対しては、フレームＮ＋２のＡＰＬ値とフレームＮ＋３のＡＰＬ値を用いてシーンが切り替わったか否かが判断される。フレームＮ＋２とフレームＮ＋３の間でシーンの切り替わりが発生しているため、シーンが切り替わったと判断される。また、使用特徴量判断部３０３からは、使用特徴量判定フラグｆｌｇ＝１が出力される。そのため、フレームＮ＋４に対しては、Ｓ５０４の処理を行うことにより決定された分割バックライト制御値ｂｌ＿ｇｒ＿ｄ（ｉ）がバックライト制御値１として設定される。ここでは、フレームＮ＋３に対して決定されたバックライト制御値２を分割バックライト制御値ｂｌ＿ｇ＿ｏｌｄ＿ｄ（ｉ）として用いたＳ５０４の処理が行われる。また、上記の判断が行われた後に、フレームＮ＋３の第１特徴量と暗部注目階調値Ｎｂ（ｉ）を用いたＳ５０５の処理が行われる。そして、フレームＮ＋３の第１特徴量と暗部注目階調値Ｎｂ（ｉ）を用いてＳ５０５の処理を行うことにより決定された分割バックライト制御値ｂｌ＿ｇ＿ｄ２（ｉ）がバックライト制御値２として設定される。
なお、フレームＮ＋３の第１特徴量から決定された分割バックライト制御値ｂｌ＿ｇ＿ｄ２（ｉ）ではなく、バックライト制御値１として設定された分割バックライト制御値ｂｌ＿ｇｒ＿ｄ（ｉ）がバックライト制御値２として設定されてもよい。
【０１３９】
フレームＮ＋４に対しては、フレームＮ＋２の第１特徴量から決定されたγカーブが適用される。フレームＮ＋４とフレームＮ＋２ではシーンが異なるため、フレームＮ＋４に対して、所望のカーブとは大きく異なるγカーブが適用され、ちらつきが発生することがある。本実施例では、分割バックライト制御値ｂｌ＿ｇｒ＿ｄ（ｉ）をバックライト制御値１として設定することで、γカーブの適用の遅れによるちらつきを低減することができる。
また、フレームＮ＋３は、暗いシーンのフレームであるにも拘らず、明るいシーンのフレームＮ＋１の第１特徴量に基づくγ補正が施されたフレームである。そのため、フレームＮ＋３の第２特徴量を用いると、フレームＮ＋４のバックライト制御値２として、不適切な値が設定されてしまい、ちらつきが悪化してしまう。本実施例では、フレームＮ＋３の第１特徴量と暗部注目階調値Ｎｂ（ｉ）から上述した方法で分割バックライト制御値ｂｌ＿ｇ＿ｄ２（ｉ）が決定される。即ち、適切なγカーブを用いたγ補正後のフレームＮ＋３の特徴量（第２特徴量）が推測され、第２特徴量の推測値（理想値）に基づく値を分割バックライト制御値ｂｌ＿ｇ＿ｄ２（ｉ）として得ることができる。そして、そのような分割バックライト制御値ｂｌ＿ｇ＿ｄ２（ｉ）をバックライト制御値２として設定することにより、シーンにより適したバックライト制御を行うことができる。
【０１４０】
フレームＮ＋５に対しては、フレームＮ＋３のＡＰＬ値とフレームＮ＋４のＡＰＬ値を用いてシーンが切り替わったか否かが判断される。フレームＮ＋３とフレームＮ＋４は同じシーンのフレームであるため、シーンは切り替わっていないと判断される。しかしながら、使用特徴量判断部３０３からは、使用特徴量判定フラグｆｌｇ＝１が出力される。そのため、フレームＮ＋５に対しては、フレームＮ＋３の第１特徴量と暗部注目階調値Ｎｂ
（ｉ）を用いてＳ５０５の処理を行うことにより決定された分割バックライト制御値ｂｌ＿ｇ＿ｄ２（ｉ）がバックライト制御値１として設定される。また、フレームＮ＋４の第１特徴量と暗部注目階調値Ｎｂ（ｉ）を用いてＳ５０５の処理を行うことにより決定された分割バックライト制御値ｂｌ＿ｇ＿ｄ２（ｉ）がバックライト制御値２として設定される。
【０１４１】
フレームＮ＋３とフレームＮ＋４は、暗いシーンのフレームであるにも拘らず、明るいシーンの第１特徴量に基づくγ補正が施されたフレームである。そのため、フレームＮ＋３やフレームＮ＋４の第２特徴量を用いると、フレームＮ＋５のバックライト制御値１，２として、不適切な値が設定されてしまい、ちらつきが悪化してしまう。そのため、本実施例では、フレームＮ＋５のバックライト制御値１，２として、第１特徴量と暗部注目階調値Ｎｂ（ｉ）から決定された分割バックライト制御値ｂｌ＿ｇ＿ｄ２（ｉ）が設定される。
【０１４２】
フレームＮ＋６に対しては、フレームＮ＋４のＡＰＬ値とフレームＮ＋５のＡＰＬ値を用いてシーンが切り替わったか否かが判断される。フレームＮ＋４とフレームＮ＋５は同じシーンのフレームであるため、シーンは切り替わっていないと判断される。しかしながら、使用特徴量判断部３０３からは、使用特徴量判定フラグｆｌｇ＝１が出力される。そのため、フレームＮ＋６に対しては、フレームＮ＋４の第１特徴量と暗部注目階調値Ｎｂ（ｉ）を用いてＳ５０５の処理を行うことにより決定された分割バックライト制御値ｂｌ＿ｇ＿ｄ２（ｉ）がバックライト制御値１として設定される。また、フレームＮ＋５の第１特徴量と暗部注目階調値Ｎｂ（ｉ）を用いてＳ５０５の処理を行うことにより決定された分割バックライト制御値ｂｌ＿ｇ＿ｄ２（ｉ）がバックライト制御値２として設定される。
【０１４３】
フレームＮ＋６のバックライト制御値１として分割バックライト制御値ｂｌ＿ｇ＿ｄ２（ｉ）を設定する理由は、フレームＮ＋５に対する処理における理由と同様である。
なお、フレームＮ＋５は、暗いシーンのフレームであり、暗いシーンのフレームＮ＋３の第１特徴量に基づくγ補正が施されたフレームである。即ち、フレームＮ＋５に対しては適切なγカーブを用いたγ補正が施されており、フレームＮ＋５からは好ましい第２特徴量が取得される。そのため、フレームＮ＋５の第２特徴量を用いてＳ５０３の処理を行うことにより分割バックライト制御値ｂｌ＿ｇ＿ｄ（ｉ）が決定され、決定された分割バックライト制御値ｂｌ＿ｇ＿ｄ（ｉ）がフレームＮ＋６のバックライト制御値２として設定されてもよい。
【０１４４】
フレームＮ＋７に対しては、フレームＮ＋５のＡＰＬ値とフレームＮ＋６のＡＰＬ値を用いてシーンが切り替わったか否かが判断される。フレームＮ＋５とフレームＮ＋６は同じシーンのフレームであるため、シーンは切り替わっていないと判断される。また、使用特徴量判断部３０３からは、使用特徴量判定フラグｆｌｇ＝０が出力される。そのため、フレームＮ＋７に対しては、フレームＮ＋５の第２特徴量を用いてＳ５０３の処理を行うことにより決定された分割バックライト制御値ｂｌ＿ｇ＿ｄ（ｉ）がバックライト制御値１として設定される。また、フレームＮ＋６の第２特徴量を用いてＳ５０３の処理を行うことにより決定された分割バックライト制御値ｂｌ＿ｇ＿ｄ（ｉ）がバックライト制御値２として設定される。
【０１４５】
以上述べたように、本実施例によれば、第２特徴量を用いて発光部（バックライトモジュール）の発光輝度を高精度に制御することが可能な構成において、シーンの切り替わりの際に生じるちらつきを低減することができる。
なお、実施例３の構成を、実施例１の構成と組み合わせてもよい。即ち、分割領域毎にバックライト制御値を決定するのではなく、画像全体に対して１つのバックライト制御値
が決定されてもよい。そして、そのようなバックライト制御値を決定する際に使用する特徴量が、第１特徴量と第２特徴量の間で切り替えられてもよい。
【０１４６】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１４７】
１００，２００，３００  表示装置
１０１，２０１  特徴量取得部
１０２  γカーブ決定部
１０３  γ補正部
１０５  液晶パネル
１０６  シーンチェンジ検出部
１０７  特徴量変化判断部
１０８  バックライト制御値決定部
１０９  バックライト制御部
１１０，２１０  バックライトモジュール
２０２  分割γカーブ決定部
２０３  分割γ補正部
２０７  分割特徴量変化判断部
２０８，３０４  分割バックライト制御値決定部
２０９，３０５  分割バックライト制御部
３０１  第１特徴量取得部
３０２  第２特徴量取得部
３０３  使用特徴量判断部
【図１】
2015088998.tif 000003
【図２】
2015088998.tif 000004
【図３】
2015088998.tif 000005
【図４】
2015088998.tif 000006
【図５】
2015088998.tif 000007
【図６】
2015088998.tif 000008
【図７】
2015088998.tif 000009
【図８】
2015088998.tif 000010
【図９】
2015088998.tif 000011
【図１０】
2015088998.tif 000012
【図１１】
2015088998.tif 000013
【図１２】
2015088998.tif 000014
【図１３】
2015088998.tif 000015
【図１４】
2015088998.tif 000016
【図１５】
2015088998.tif 000017
【図１６】
2015088998.tif 000018
【図１７】
2015088998.tif 000019
【図１８】
2015088998.tif 000020
【図１９】
2015088998.tif 000021
【図２０】
2015088998.tif 000022
【図２１】
2015088998.tif 000023
【図２２】
2015088998.tif 000024